(57)【要約】本開示は、参照信号の送受信方法、装置、車載機器および端末を提供し、ここで、前記参照信号の送信方法は、ＮＲ  Ｖ２Ｘシステムにおける同期信号ブロック（ＶＳＳＢ）の伝送構成情報を決定することであって、前記伝送構成情報は、前記ＶＳＳＢの送信周期と、前記送信周期におけるＶＳＳＢ送信時間ウィンドウの時間ドメイン位置とを含むことと、前記伝送構成情報に応じて、周期的に現れる前記ＶＳＳＢ送信時間ウィンドウ内で、Ｎ（Ｎは１より大きいか等しい整数）個の前記ＶＳＳＢを送信することと、を含み、ここで、各前記ＶＳＳＢは、プライマリサイドリンク同期信号、セカンダリサイドリンク同期信号、物理サイドリンク放送チャネル信号、および復調参照信号を含む。本開示によって提供される参照信号の送信方法を使用して、ＮＲ  Ｖ２Ｘシステムにおける車載機器と、受信端末との時間ドメインの同期を、迅速に完成することを保証することができる。【選択図】図２
2021533684.tif 000002
【特許請求の範囲】
【請求項１】
参照信号の送信方法であって、
ニューラジオ車両対モノ（ＮＲ  Ｖ２Ｘ）システムにおける同期信号ブロック（ＶＳＳＢ）の伝送構成情報を決定することであって、前記伝送構成情報は、前記ＶＳＳＢの送信周期と、前記送信周期におけるＶＳＳＢ送信時間ウィンドウの時間ドメイン位置とを含むことと、
前記伝送構成情報に応じて、周期的に現れる前記ＶＳＳＢ送信時間ウィンドウ内で、Ｎ（Ｎは１より大きいか等しい整数）個の前記ＶＳＳＢを送信することと、を含み、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記参照信号の送信方法。
【請求項２】
前記周期的に現れる前記ＶＳＳＢ送信時間ウィンドウ内で、Ｎ個の前記ＶＳＳＢを送信することは、
前記ＶＳＳＢを送信するために使用されるターゲットキャリア周波数情報を決定することと、
前記ターゲットキャリア周波数情報に従って、１つのＶＳＳＢ送信時間ウィンドウ内の、対応するＶＳＳＢの送信可能な時間ドメインリソースの最大数を決定することと、
前記ＶＳＳＢの送信可能な時間ドメインリソースの最大数、および基地局によって発行されるアップリンクおよびダウンリンクの時間ドメインリソースの構成情報に従って、前記ＶＳＳＢ送信時間ウィンドウ内の有効な時間ドメインリソース情報を決定することと、
前記有効な時間ドメインリソース情報に従って、前記ＶＳＳＢ送信時間ウィンドウ内で前記ＶＳＳＢを送信することと、を含むことを特徴とする、
請求項１に記載の参照信号の送信方法。
【請求項３】
前記ＶＳＳＢを送信するために使用されるターゲットキャリア周波数情報を決定することは、
前記基地局によって送信されるリソース構成情報を受信することであって、前記リソース構成情報は、前記車載機器に、構成されたリソースを使用して前記ＶＳＳＢを送信するように通知するために使用されることと、
前記リソース構成情報に従って、前記ターゲットキャリア周波数情報を決定すること、または、
事前に構成されたリソース構成情報に従って、前記ターゲットキャリア周波数情報を決定することと、を含むことを特徴とする、
請求項２に記載の参照信号の送信方法。
【請求項４】
前記ターゲットキャリア周波数情報に従って、１つのＶＳＳＢ送信時間ウィンドウ内の、対応するＶＳＳＢの送信可能な時間ドメインリソースの最大数を決定することは、
前記ターゲットキャリア周波数情報に従って、プリセットリストを照会して、前記ターゲットキャリア周波数に対応する、ＶＳＳＢの送信可能な時間ドメインリソースの最大数を決定することを含み、前記プリセットリストは、キャリア周波数帯域情報と、１つの送信時間ウィンドウ内で伝送される、ＶＳＳＢの送信可能な時間ドメインリソースの最大数との対応関係を含むことを特徴とする、
請求項２に記載の参照信号の送信方法。
【請求項５】
前記有効な時間ドメインリソース情報は、有効な単位時間ドメインリソースの数、および各前記有効な単位時間ドメインリソースの位置を含み、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定することは、
前記ターゲットキャリア周波数情報に従って、ターゲットサブキャリア間隔を決定することと、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定することであって、前記単位時間ドメインリソースは、１つのＶＳＳＢを搬送するために使用される時間ドメインリソースであることと、
前記アップリンクおよびダウンリンクの時間ドメインリソースの構成情報に従って、現在のＶＳＳＢ送信時間ウィンドウ内の有効な時間ドメインリソースを決定することであって、前記有効な時間ドメインリソースは、基地局によって構成される、アップリンク時間ドメインリソースおよび／またはブランクリソースを含むことと、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定することと、を含むことを特徴とする、
請求項２に記載の参照信号の送信方法。
【請求項６】
前記有効な時間ドメインリソース情報に従って、前記ＶＳＳＢ送信時間ウィンドウ内で前記ＶＳＳＢを送信することは、
プリセットされた参照情報に従って、ターゲットビームの数を決定することであって、前記プリセットされた参照情報は、現在の環境で、前記ＶＳＳＢを送信するのに必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しいことと、
前記有効な時間ドメインリソース情報および前記ターゲットビームの数に基づいて、送信されるＶＳＳＢの伝送情報を決定することであって、前記送信されるＶＳＳＢの伝送情報は、送信されるＶＳＳＢの実際の数、各前記送信されるＶＳＳＢが占める有効な単位時間ドメインリソースの位置および対応するインデックス情報を含むことと、
前記送信されるＶＳＳＢの伝送情報に従って、前記ＶＳＳＢ送信時間ウィンドウ内で、各前記ＶＳＳＢを送信することと、を含むことを特徴とする、
請求項５に記載の参照信号の送信方法。
【請求項７】
前記有効な時間ドメインリソース情報および前記ターゲットビームの数に基づいて、送信されるＶＳＳＢの伝送情報を決定することは、
前記有効な時間ドメインリソース情報および前記ターゲットビームの数に基づいて、前記送信されるＶＳＳＢの実際の数を決定することと、
前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定することと、を含むことを特徴とする、
請求項６に記載の参照信号の送信方法。
【請求項８】
前記ターゲットビームの数が、前記有効な単位時間ドメインリソースの数より大きいか等しい場合、前記有効な単位時間ドメインリソースの数を、前記送信されるＶＳＳＢの実際の数として決定すること、
前記ターゲットビームの数が、前記有効な単位時間ドメインリソースの数より小さい場合、前記ターゲットビームの数を、前記送信されるＶＳＳＢの実際の数として決定すること、
のいずれか１つの方式を使用して、前記有効な時間ドメインリソース情報、および前記ターゲットビームの数に基づいて、前記送信されるＶＳＳＢの実際の数を決定することを特徴とする、
請求項７に記載の参照信号の送信方法。
【請求項９】
前記送信されるＶＳＳＢの伝送情報に従って、前記ＶＳＳＢ送信時間ウィンドウ内で、各前記ＶＳＳＢを送信することは、
前記送信されるＶＳＳＢのインデックス情報を、前記送信されるＶＳＳＢの設定信号にロードして、インデックス情報が運ばれたターゲットＶＳＳＢを生成することと、
前記ＶＳＳＢ送信時間ウィンドウ内で、複数のビームを介して、それぞれ、前記ターゲットＶＳＳＢを送信することと、を含むことを特徴とする、
請求項７に記載の参照信号の送信方法。
【請求項１０】
前記送信されるＶＳＳＢのインデックス情報を、前記対応するＤＭＲＳターゲットシーケンスを介して指示すること、
前記送信されるＶＳＳＢのインデックス情報を、プリセットされたＰＳＢＣＨ信号の第１ビットにロードすること、
前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードすること、
のいずれか１つの方式を使用して、前記送信されるＶＳＳＢのインデックス情報を、前記送信されるＶＳＳＢの設定信号にロードすることを特徴とする、
請求項９に記載の参照信号の送信方法。
【請求項１１】
前記周期的に現れる前記ＶＳＳＢ送信時間ウィンドウ内で、Ｎ個の前記ＶＳＳＢを送信することは、
周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信することを含むことを特徴とする、
請求項１に記載の参照信号の送信方法。
【請求項１２】
参照信号の受信方法であって、
車載機器によって送信された、ニューラジオ車両対モノ（ＮＲ  Ｖ２Ｘ）システムにおける同期信号ブロック（ＶＳＳＢ）を検出することと、
検出されたターゲットＶＳＳＢから、ＶＳＳＢインデックス情報を取得することと、
前記ＶＳＳＢインデックス情報に従って、前記ターゲットＶＳＳＢに対応する時間ドメイン位置を決定することと、
前記時間ドメイン位置に従って、前記車載機器と、時間ドメインの同期を実行することと、を含むことを特徴とする、前記参照信号の受信方法。
【請求項１３】
前記車載機器によって送信される前記ＶＳＳＢを検出することは、
基地局によって送信されたリソース構成情報を受信することであって、前記リソース構成情報は、前記受信端末に、構成されたリソースを使用して前記ＶＳＳＢを受信するように通知するために使用されることと、
前記リソース構成情報に従って、前記ＶＳＳＢを受信するために使用されるターゲットキャリア周波数情報を決定することと、
前記ターゲットキャリア周波数情報に従って、検出サブキャリア間隔を決定することと、
各前記検出サブキャリア間隔を使用して、ターゲットリソースで前記ＶＳＳＢを検出することと、を含むことを特徴とする、
請求項１２に記載の参照信号の受信方法。
【請求項１４】
前記検出されたターゲットＶＳＳＢから、ＶＳＳＢインデックス情報を取得することは、
前記ターゲットＶＳＳＢを解析して、各信号を取得することであって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことと、
設定信号から前記ＶＳＳＢインデックス情報を取得することであって、前記設定信号は、前記ＰＳＢＣＨ信号および／または前記ＤＭＲＳ信号を含むことと、を含むことを特徴とする、
請求項１２に記載の参照信号の受信方法。
【請求項１５】
前記設定信号から前記ＶＳＳＢインデックス情報を取得することは、
設定ＤＭＲＳシーケンスによって運ばれる情報に従って、前記ＶＳＳＢインデックス情報を取得すること、
設定ＰＳＢＣＨ信号の第１ビットから、前記ＶＳＳＢインデックス情報を解析すること、のいずれか１つを含むことを特徴とする、
請求項１４に記載の参照信号の受信方法。
【請求項１６】
前記設定信号から前記ＶＳＳＢインデックス情報を取得することは、
設定ＤＭＲＳシーケンスによって運ばれる情報に従って、前記ＶＳＳＢインデックス情報に対応する、ビット値の一部を取得することと、
設定ＰＳＢＣＨ信号の第２ビットから、前記ＶＳＳＢインデックス情報に対応する、残りのビット値を取得することと、
前記ビット値の一部および前記残りのビット値からなる完全なビット値に従って、前記ＶＳＳＢインデックス情報を決定することと、を含むことを特徴とする、
請求項１４に記載の参照信号の受信方法。
【請求項１７】
前記ＶＳＳＢインデックス情報に従って、前記ＶＳＳＢに対応する時間ドメイン位置を決定することは、
前記ＶＳＳＢインデックス情報、前記ターゲットキャリア周波数情報、ターゲットサブキャリア間隔に従って、前記ターゲットＶＳＳＢに対応する時間ドメイン位置を決定することを含み、ここで、前記ターゲットサブキャリア間隔は、前記ターゲットＶＳＳＢが検出されたときに使用される、検出サブキャリア間隔であることを特徴とする、
請求項１２に記載の参照信号の受信方法。
【請求項１８】
参照信号の送信装置であって、
ニューラジオ車両対モノ（ＮＲ  Ｖ２Ｘ）システムにおける同期信号ブロック（ＶＳＳＢ）の伝送構成情報を決定するように構成される、構成情報決定モジュールであって、前記伝送構成情報は、前記ＶＳＳＢの送信周期と、前記送信周期におけるＶＳＳＢ送信時間ウィンドウの時間ドメイン位置とを含む、構成情報決定モジュールと、
前記伝送構成情報に応じて、周期的に現れる前記ＶＳＳＢ送信時間ウィンドウ内で、Ｎ（Ｎは１より大きいか等しい整数）個の前記ＶＳＳＢを送信するように構成される、送信モジュールと、を備え、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記参照信号の送信装置。
【請求項１９】
前記送信モジュールは、
前記ＶＳＳＢを送信するために使用されるターゲットキャリア周波数情報を決定するように構成される、キャリア周波数決定サブモジュールと、
前記ターゲットキャリア周波数情報に従って、１つのＶＳＳＢ送信時間ウィンドウ内の、対応するＶＳＳＢの送信可能な時間ドメインリソースの最大数を決定するように構成される、リソース数決定サブモジュールと、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定するように構成される、有効なリソース決定サブモジュールと、
前記有効な時間ドメインリソース情報に従って、前記ＶＳＳＢ送信時間ウィンドウ内で前記ＶＳＳＢを送信するように構成される、送信サブモジュールと、を備えることを特徴とする、
請求項１８に記載の参照信号の送信装置。
【請求項２０】
前記キャリア周波数決定サブモジュールは、
前記基地局によって送信されるリソース構成情報を受信するように構成される、構成情報受信ユニットであって、前記リソース構成情報は、前記車載機器に、構成されたリソースを使用して前記ＶＳＳＢを送信するように通知するために使用される、構成情報受信ユニットと、
前記リソース構成情報に従って、前記ターゲットキャリア周波数情報を決定するように構成される、第１キャリア周波数決定ユニット、または、
事前に構成されたリソース構成情報に従って、前記ターゲットキャリア周波数情報を決定するように構成される、第２キャリア周波数決定ユニットと、を備えることを特徴とする、
請求項１９に記載の参照信号の送信装置。
【請求項２１】
前記リソース数決定サブモジュールは、前記ターゲットキャリア周波数情報に従って、プリセットリストを照会して、前記ターゲットキャリア周波数に対応する、ＶＳＳＢの送信可能な時間ドメインリソースの最大数を決定するように構成され、前記プリセットリストは、キャリア周波数帯域情報と、１つの送信時間ウィンドウ内で伝送される、ＶＳＳＢの送信可能な時間ドメインリソースの最大数との対応関係を含むことを特徴とする、
請求項１９に記載の参照信号の送信装置。
【請求項２２】
前記有効な時間ドメインリソース情報は、有効な単位時間ドメインリソースの数、および各前記有効な単位時間ドメインリソースの位置を含み、
前記有効なリソース決定サブモジュールは、
前記ターゲットキャリア周波数情報に従って、ターゲットサブキャリア間隔を決定するように構成される、サブキャリア間隔決定ユニットと、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定するように構成される、単位時間ドメインリソース決定ユニットであって、ここで、前記単位時間ドメインリソースは、１つのＶＳＳＢを搬送するために使用される時間ドメインリソースである、単位時間ドメインリソース決定ユニットと、
前記アップリンクおよびダウンリンクの時間ドメインリソースの構成情報に従って、現在のＶＳＳＢ送信時間ウィンドウ内の有効な時間ドメインリソースを決定するように構成される、有効な時間ドメインリソース決定ユニットであって、前記有効な時間ドメインリソースは、基地局によって構成される、アップリンク時間ドメインリソースおよび／またはブランクリソースを含む、有効な時間ドメインリソース決定ユニットと、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定するように構成される、インデックス情報決定ユニットと、を備えることを特徴とする、
請求項１９に記載の参照信号の送信装置。
【請求項２３】
前記送信サブモジュールは、
プリセットされた参照情報に従って、ターゲットビームの数を決定するように構成される、ターゲットビーム決定ユニットであって、前記プリセットされた参照情報は、現在の環境で、前記ＶＳＳＢを送信するために必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しい、ターゲットビーム決定ユニットと、
前記有効な時間ドメインリソース情報および前記ターゲットビームの数に基づいて、送信されるＶＳＳＢの伝送情報を決定するように構成される、伝送情報決定ユニットであって、前記送信されるＶＳＳＢの伝送情報は、送信されるＶＳＳＢの実際の数、各前記送信されるＶＳＳＢが占める有効な単位時間ドメインリソースの位置、および対応するインデックス情報を含む、伝送情報決定ユニットと、
前記送信されるＶＳＳＢの伝送情報に従って、前記ＶＳＳＢ送信時間ウィンドウ内で、各前記ＶＳＳＢを送信するように構成される、送信ユニットと、を備えることを特徴とする、
請求項２２に記載の参照信号の送信装置。
【請求項２４】
前記伝送情報決定ユニットは、
前記有効な時間ドメインリソース情報および前記ターゲットビームの数に基づいて、前記送信されるＶＳＳＢの実際の数を決定するように構成される、数決定サブユニットと、
前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定するように構成される、有効な位置決定サブユニットと、を備えることを特徴とする、
請求項２３に記載の参照信号の送信装置。
【請求項２５】
前記数決定サブユニットは、
前記ターゲットビームの数が、前記有効な単位時間ドメインリソースの数より大きいか等しい場合、前記有効な単位時間ドメインリソースの数を、前記送信されるＶＳＳＢの実際の数として決定するように構成されたり、
前記ターゲットビームの数が、前記有効な単位時間ドメインリソースの数より小さい場合、前記ターゲットビームの数を、前記送信されるＶＳＳＢの実際の数として決定するように構成されることを特徴とする、
請求項２４に記載の参照信号の送信装置。
【請求項２６】
前記送信ユニットは、
前記送信されるＶＳＳＢのインデックス情報を、前記送信されるＶＳＳＢの設定信号にロードして、インデックス情報が運ばれたターゲットＶＳＳＢを生成するように構成される、ターゲットＶＳＳＢ生成サブユニットと、
前記ＶＳＳＢ送信時間ウィンドウ内で、複数のビームを介して、それぞれ、前記ターゲットＶＳＳＢを送信するように構成される、ターゲットＶＳＳＢ送信サブユニットと、を備えることを特徴とする、
請求項２４に記載の参照信号の送信装置。
【請求項２７】
前記ターゲットＶＳＳＢ生成サブユニットは、
前記送信されるＶＳＳＢのインデックス情報を、前記対応するＤＭＲＳターゲットシーケンスを介して指示するように構成されたり、
前記送信されるＶＳＳＢのインデックス情報を、プリセットされたＰＳＢＣＨ信号の第１ビットにロードするように構成されたり、
前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードするように構成されることを特徴とする、
請求項２６に記載の参照信号の送信装置。
【請求項２８】
前記ターゲットＶＳＳＢ送信サブユニットは、周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信するように構成されることを特徴とする、
請求項２６に記載の参照信号の送信装置。
【請求項２９】
参照信号の受信装置であって、
車載機器によって送信された、ニューラジオ車両対モノ（ＮＲ  Ｖ２Ｘ）システムにおける同期信号ブロック（ＶＳＳＢ）を検出するように構成される、検出モジュールと、
検出されたターゲットＶＳＳＢから、ＶＳＳＢインデックス情報を取得するように構成される、インデックス情報取得モジュールと、
前記ＶＳＳＢインデックス情報に従って、前記ターゲットＶＳＳＢに対応する時間ドメイン位置を決定するように構成される、位置決定モジュールと、
前記時間ドメイン位置に従って、前記車載機器と、時間ドメインの同期を実行するように構成される、同期モジュールと、を備えることを特徴とする、前記参照信号の受信装置。
【請求項３０】
前記検出モジュールは、
基地局によって送信されたリソース構成情報を受信するように構成される、構成情報受信サブモジュールであって、前記リソース構成情報は、前記受信端末に、構成されたリソースを使用して前記ＶＳＳＢを受信するように通知するために使用される、構成情報受信サブモジュールと、
前記リソース構成情報に従って、前記ＶＳＳＢを受信するために使用されるターゲットキャリア周波数情報を決定するように構成される、キャリア周波数決定サブモジュールと、
前記ターゲットキャリア周波数情報に従って、検出サブキャリア間隔を決定するように構成される、サブキャリア間隔決定サブモジュールと、
各前記検出サブキャリア間隔を使用して、ターゲットリソースで前記ＶＳＳＢを検出するように構成される、検出サブモジュールと、を備えることを特徴とする、
請求項２９に記載の参照信号の受信装置。
【請求項３１】
前記インデックス情報取得モジュールは、
前記ターゲットＶＳＳＢを解析して、各信号を取得するように構成される、解析サブモジュールであって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む、解析サブモジュールと、
設定信号から前記ＶＳＳＢインデックス情報を取得するように構成される、インデックス情報取得サブモジュールであって、前記設定信号は、前記ＰＳＢＣＨ信号および／または前記ＤＭＲＳ信号を含む、インデックス情報取得サブモジュールと、を備えることを特徴とする、
請求項２９に記載の参照信号の受信装置。
【請求項３２】
前記インデックス情報取得サブモジュールは、
設定ＤＭＲＳシーケンスによって運ばれる情報に従って、前記ＶＳＳＢインデックス情報を取得するように構成される、第１インデックス取得ユニットと、
設定ＰＳＢＣＨ信号の第１ビットから、前記ＶＳＳＢインデックス情報を解析するように構成される、第２インデックス取得ユニットと、を備えることを特徴とする、
請求項３１に記載の参照信号の受信装置。
【請求項３３】
前記インデックス情報取得サブモジュールは、
設定ＤＭＲＳシーケンスによって運ばれる情報に従って、前記ＶＳＳＢインデックス情報に対応する、ビット値の一部を取得するように構成される、第１ビット値決定ユニットと、
設定ＰＳＢＣＨ信号の第２ビットから、前記ＶＳＳＢインデックス情報に対応する、残りのビット値を取得するように構成される、第２ビット値決定ユニットと、
前記ビット値の一部および前記残りのビット値からなる完全なビット値に従って、前記ＶＳＳＢインデックス情報を決定するように構成される、第３インデックス取得ユニットと、を備えることを特徴とする、
請求項３１に記載の参照信号の受信装置。
【請求項３４】
前記位置決定モジュールは、前記ＶＳＳＢインデックス情報、前記ターゲットキャリア周波数情報、ターゲットサブキャリア間隔に従って、前記ターゲットＶＳＳＢに対応する時間ドメイン位置を決定するように構成され、ここで、前記ターゲットサブキャリア間隔は、前記ターゲットＶＳＳＢが検出されたときに使用される、検出サブキャリア間隔であることを特徴とする、
請求項２９に記載の参照信号の受信装置。
【請求項３５】
コンピュータ命令が記憶される、非一時的なコンピュータ可読記憶媒体であって、
前記命令がプロセッサによって実行されるときに、請求項１ないし１１のいずれか一項に記載の方法のステップを実現することを特徴とする、前記非一時的なコンピュータ可読記憶媒体。
【請求項３６】
コンピュータ命令が記憶される、非一時的なコンピュータ可読記憶媒体であって、
前記命令がプロセッサによって実行されるときに、請求項１２ないし１７のいずれか一項に記載の方法のステップを実現することを特徴とする、前記非一時的なコンピュータ可読記憶媒体。
【請求項３７】
車載機器であって、
プロセッサと、
プロセッサ実行可能命令を記憶するために使用されるメモリと、を備え、
前記プロセッサは、
ニューラジオ車両対モノ（ＮＲ  Ｖ２Ｘ）システムにおける同期信号ブロック（ＶＳＳＢ）の伝送構成情報を決定し、前記伝送構成情報は、前記ＶＳＳＢの送信周期と、前記送信周期におけるＶＳＳＢ送信時間ウィンドウの時間ドメイン位置と、を含み、
前記伝送構成情報に応じて、周期的に現れる前記ＶＳＳＢ送信時間ウィンドウ内で、Ｎ（Ｎは１より大きいか等しい整数）個の前記ＶＳＳＢを送信するように構成され、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記車載機器。
【請求項３８】
端末であって、
プロセッサと、
プロセッサ実行可能命令を記憶するために使用されるメモリと、を備え、
前記プロセッサは、
車載機器によって送信された、ニューラジオ車両対モノ（ＮＲ  Ｖ２Ｘ）システムにおける同期信号ブロック（ＶＳＳＢ）を検出し、
検出されたターゲットＶＳＳＢから、ＶＳＳＢインデックス情報を取得し、
前記ＶＳＳＢインデックス情報に従って、前記ターゲットＶＳＳＢに対応する時間ドメイン位置を決定し、
前記時間ドメイン位置に従って、前記車載機器と、時間ドメインの同期を実行するように構成されることを特徴とする、前記端末。
【発明の詳細な説明】
【技術分野】
【０００１】
本開示は、通信技術分野に関し、特に、参照信号の送受信方法、装置、車載機器および端末に関する。
【背景技術】
【０００２】
ＬＴＥにおける車両対モノ（Ｖ２Ｘ：Ｖｅｈｉｃｌｅ−ｔｏ−Ｅｖｅｒｙｔｈｉｎｇ）技術において、例えば、車両間の通信（Ｖ２Ｖ：Ｖｅｈｉｃｌｅ−ｔｏ−Ｖｅｈｉｃｌｅ）の適用シナリオにおいて、２台の車が出会う可能性があるため、相対速度は、１台の車両のほぼ２倍の速度になり、その結果、ドップラ−周波数シフト値が大きくなる。大きなドップラ−周波数シフト値と対抗するために、１ｍｓのサブフレーム（ｓｕｂｆｒａｍｅ）内で、Ｖ２Ｘのプライマリサイドリンク同期信号（ＰＳＳＳ：Ｐｒｉｍａｒｙ  Ｓｉｄｅｌｉｎｋ  Ｓｙｎｃｈｒｏｎｉｚａｔｉｏｎ  Ｓｉｇｎａｌ）、およびセカンダリサイドリンク同期信号（ＳＳＳＳ：Ｓｅｃｏｎｄａｒｙ  Ｓｉｄｅｌｉｎｋ  Ｓｙｎｃｈｒｏｎｉｚａｔｉｏｎ  Ｓｉｇｎａｌ）は、すべて２つのシンボルを占め、物理サイドリンク放送チャネル（ＰＳＢＣＨ：Ｐｈｙｓｉｃａｌ  Ｓｉｄｅｌｉｎｋ  Ｂｒｏａｄｃａｓｔ  Ｃｈａｎｎｅｌ）は、５つのシンボルを占め、ミドル時分割は、ＰＳＢＣＨを復調するために使用される、３つのシンボルの復調参照信号（ＤＭＲＳ：Ｄｅｍｏｄｕｌａｔｉｏｎ  Ｒｅｆｅｒｅｎｃｅ  Ｓｉｇｎａｌ）を送信する。なお、１ｍｓのサブフレームは、２つのｓｌｏｔを含み、各ｓｌｏｔは、７つのシンボルを含み、これらの１４つのシンボルにおいて、最初の１つのシンボルは、自動ゲイン制御（ＡＧＣ：Ａｕｔｏｍａｔｉｃ  Ｇａｉｎ  Ｃｏｎｔｒｏｌ）のために使用され、即ち、ＰＳＳＳ／ＳＳＳＳ／ＰＳＢＣＨを受信する機器が、電力ゲインの調整を実行することであり、最後の１つのシンボルは、異なる位置にある機器によって引き起こす送受信の遅延と対抗するために使用される。そして、この同期信号および放送チャネルを送信する周期は、１６０ｍｓであり、即ち、１６０ｍｓごとの１ｍｓは、１つの同期信号および放送チャネルのフレーム構造を送信するために使用される。さらに、ＬＴＥ  ｓｉｄｅｌｉｎｋは、ＬＴＥアップリンクと類似の特徴を使用し、アップリンクは、シングルキャリア周波数分割多元接続（ＳＣ−ＦＤＭＡ：Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）を使用するため、ＤＭＲＳは、ＰＳＢＣＨと異なるシンボルで送信される。
【０００３】
ニューラジオ（ＮＲ：Ｎｅｗ  Ｒａｄｉｏ  Ａｃｃｅｓｓ  ｔｅｃｈｎｏｌｏｇｙ）スペクトルで、各スロット（ｓｌｏｔ）は、１４個のシンボルを含み、１ミリ秒（ｍｓ）内に含まれるｓｌｏｔの数は、サブキャリア間隔によって决定される。例えば、サブキャリア間隔が、１５キロヘルツ（ＫＨｚ）である場合、１ｍｓに１つのｓｌｏｔを含み、サブキャリア間隔が３０ＫＨｚである場合、１ｍｓに２つのｓｌｏｔを含み、サブキャリア間隔が６０ＫＨｚである場合、１ｍｓに４つのｓｌｏｔを含み、これによって類推する。
【０００４】
ＮＲにおいて、常時オン（ａｌｗａｙｓ  ｏｎ）にある参照信号を減らして、オーバーヘッドを減らすために、同期信号ブロック（ＳＳＢ：Ｓｙｎｃｈｒｏｎｉｚａｔｉｏｎ  Ｓｉｇｎａｌ  Ｂｌｏｃｋ）を提案し、各ＳＳＢは、４つの連続するシンボルを占め、それぞれ順番に、プライマリ同期信号（ＰＳＳ：Ｐｒｉｍａｒｙ  Ｓｙｎｃｈｒｏｎｉｚａｔｉｏｎ  Ｓｉｇｎａｌ）、物理放送チャネル（ＰＢＣＨ：Ｐｈｙｓｉｃａｌ  Ｂｒｏａｄｃａｓｔ  Ｃｈａｎｎｅｌ）、セカンダリ同期信号（ＳＳＳ：Ｓｅｃｏｎｄａｒｙ  Ｓｙｎｃｈｒｏｎｉｚａｔｉｏｎ  Ｓｉｇｎａｌ）、およびＰＢＣＨであり、ここで、ＳＳＳが位置するシンボルの中間の１２個のリソースブロック（ＲＢ）は、ＳＳＳであり、両側の各４個のＲＢは、ＰＢＣＨであり、ＰＢＣＨ中のいくつかのサブキャリアは、復調参照信号（ＤＭＲＳ：Ｄｅｍｏｄｕｌａｔｉｏｎ  Ｒｅｆｅｒｅｎｃｅ  Ｓｉｇｎａｌ）である。同期信号ブロックのサブキャリア間隔は、１５ＫＨｚ、３０ＫＨｚ、１２０ＫＨｚおよび２４０ＫＨｚであり得る。すべての同期信号ブロックは、５ｍｓ以内に送信される。ビーム（ｂｅａｍ）送信をサポートするため、ｂｅａｍがある場合、各ｂｅａｍは、すべてＳＳＢを送信する必要があり、そのため、５ｍｓ内で送信可能な同期信号ブロックの最大の数は、４（キャリア周波数が、３ＧＨｚ以下である場合）、または８（キャリア周波数が、３ＧＨｚ〜６ＧＨｚである場合）、または６４（キャリア周波数が、６ＧＨｚ以上である場合）であり、このような５ｍｓ内の複数のＳＳＢを、同期信号突発セット（ＳＳＢ  ｂｕｒｓｔ  ｓｅｔ）と呼ばれる。ＳＳＢ  ｂｕｒｓｔ  ｓｅｔの送信周期は、５ｍｓ、１０ｍｓ、２０ｍｓ、４０ｍｓなどであり得る。
【０００５】
５Ｇ  ＮＲシステムにＶ２Ｘ技術も組み込まれたが、同期信号および放送チャネルの送信は、まだ定義されていない。
【発明の概要】
【発明が解決しようとする課題】
【０００６】
関連技術に存在する問題を克服するために、本開示の実施例は、参照信号の送受信方法、装置、車載機器および端末を提供し、ＮＲ  Ｖ２Ｘシステムにおける車載機器と、受信端末との時間ドメインの同期を、迅速に完成することを保証する。
【課題を解決するための手段】
【０００７】
本開示の実施例の第１態様によれば、参照信号の送信方法を提供し、前記方法は、
ニューラジオ車両対モノ（ＮＲ  Ｖ２Ｘ）システムにおける同期信号ブロック（ＶＳＳＢ）の伝送構成情報を決定することであって、前記伝送構成情報は、前記ＶＳＳＢの送信周期と、前記送信周期におけるＶＳＳＢ送信時間ウィンドウの時間ドメイン位置とを含むことと、
前記伝送構成情報に応じて、周期的に現れる前記ＶＳＳＢ送信時間ウィンドウ内で、Ｎ（Ｎは１より大きいか等しい整数）個の前記ＶＳＳＢを送信することと、を含み、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【０００８】
例示的に、前記周期的に現れる前記ＶＳＳＢ送信時間ウィンドウ内で、Ｎ個の前記ＶＳＳＢを送信することは、
前記ＶＳＳＢを送信するために使用されるターゲットキャリア周波数情報を決定することと、
前記ターゲットキャリア周波数情報に従って、１つのＶＳＳＢ送信時間ウィンドウ内の、対応するＶＳＳＢの送信可能な時間ドメインリソースの最大数を決定することと、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定することと、
前記有効な時間ドメインリソース情報に従って、前記ＶＳＳＢ送信時間ウィンドウ内で前記ＶＳＳＢを送信することと、を含む。
【０００９】
例示的に、前記ＶＳＳＢを送信するために使用されるターゲットキャリア周波数情報を決定することは、
前記基地局によって送信されるリソース構成情報を受信することであって、前記リソース構成情報は、前記車載機器に、構成されたリソースを使用して前記ＶＳＳＢを送信するように通知するために使用されることと、
前記リソース構成情報に従って、前記ターゲットキャリア周波数情報を決定すること、または、
事前に構成されたリソース構成情報に従って、前記ターゲットキャリア周波数情報を決定することと、を含む。
【００１０】
例示的に、前記ターゲットキャリア周波数情報に従って、１つのＶＳＳＢ送信時間ウィンドウ内の、対応するＶＳＳＢの送信可能な時間ドメインリソースの最大数を決定することは、
前記ターゲットキャリア周波数情報に従って、プリセットリストを照会して、前記ターゲットキャリア周波数に対応する、ＶＳＳＢの送信可能な時間ドメインリソースの最大数を決定することを含み、前記プリセットリストは、キャリア周波数帯域情報と、１つの送信時間ウィンドウ内で伝送される、ＶＳＳＢの送信可能な時間ドメインリソースの最大数との対応関係を含む。
【００１１】
例示的に、前記有効な時間ドメインリソース情報は、有効な単位時間ドメインリソースの数、および各前記有効な単位時間ドメインリソースの位置を含み、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定することは、
前記ターゲットキャリア周波数情報に従って、ターゲットサブキャリア間隔を決定することと、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定することであって、ここで、前記単位時間ドメインリソースは、１つのＶＳＳＢを搬送するために使用される時間ドメインリソースであることと、
前記アップリンクおよびダウンリンクの時間ドメインリソースの構成情報に従って、現在のＶＳＳＢ送信時間ウィンドウ内の有効な時間ドメインリソースを決定することであって、前記有効な時間ドメインリソースは、基地局によって構成される、アップリンク時間ドメインリソースおよび／またはブランクリソースを含むことと、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定することと、を含む。
【００１２】
例示的に、前記有効な時間ドメインリソース情報に従って、前記ＶＳＳＢ送信時間ウィンドウ内で前記ＶＳＳＢを送信することは、
プリセットされた参照情報に従って、ターゲットビームの数を決定することであって、前記プリセットされた参照情報は、現在の環境で、前記ＶＳＳＢを送信するために必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しいことと、
前記有効な時間ドメインリソース情報および前記ターゲットビームの数に基づいて、送信されるＶＳＳＢの伝送情報を決定することであって、前記送信されるＶＳＳＢの伝送情報は、送信されるＶＳＳＢの実際の数と、各前記送信されるＶＳＳＢが占める有効な単位時間ドメインリソースの位置、および対応するインデックス情報を含むことと、
前記送信されるＶＳＳＢの伝送情報に従って、前記ＶＳＳＢ送信時間ウィンドウ内で、各前記ＶＳＳＢを送信することと、を含む。
【００１３】
例示的に、前記有効な時間ドメインリソース情報および前記ターゲットビームの数に基づいて、送信されるＶＳＳＢの伝送情報を決定することは、
前記有効な時間ドメインリソース情報および前記ターゲットビームの数に基づいて、前記送信されるＶＳＳＢの実際の数を決定することと、
前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定することと、を含む。
【００１４】
例示的に、前記ターゲットビームの数が、前記有効な単位時間ドメインリソースの数より大きいか等しい場合、前記有効な単位時間ドメインリソースの数を、前記送信されるＶＳＳＢの実際の数として決定すること、
前記ターゲットビームの数が、前記有効な単位時間ドメインリソースの数より小さい場合、前記ターゲットビームの数を、前記送信されるＶＳＳＢの実際の数として決定すること、
のうちの任意の１つの方式を使用して、前記有効な時間ドメインリソース情報、および前記ターゲットビームの数に基づいて、前記送信されるＶＳＳＢの実際の数を決定する。
【００１５】
例示的に、前記送信されるＶＳＳＢの伝送情報に従って、前記ＶＳＳＢ送信時間ウィンドウ内で、各前記ＶＳＳＢを送信することは、
前記送信されるＶＳＳＢのインデックス情報を、前記送信されるＶＳＳＢの設定信号にロードして、インデックス情報が運ばれたターゲットＶＳＳＢを生成することと、
前記ＶＳＳＢ送信時間ウィンドウ内で、複数のビームを介して、それぞれ、前記ターゲットＶＳＳＢを送信することと、を含む。
【００１６】
例示的に、前記送信されるＶＳＳＢのインデックス情報を、前記対応するＤＭＲＳターゲットシーケンスを介して指示すること、
前記送信されるＶＳＳＢのインデックス情報を、プリセットされたＰＳＢＣＨ信号の第１ビットにロードすること、
前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードすること、
のうちの任意の１つの方式を使用して、前記送信されるＶＳＳＢのインデックス情報を、前記送信されるＶＳＳＢの設定信号にロードする。
【００１７】
例示的に、前記周期的に現れる前記ＶＳＳＢ送信時間ウィンドウ内で、Ｎ個の前記ＶＳＳＢを送信することは、
周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信することを含む。
【００１８】
本開示の実施例の第２態様によれば、参照信号の受信方法を提供し、前記方法は、
車載機器によって送信された、ニューラジオ車両対モノ（ＮＲ  Ｖ２Ｘ）システムにおける同期信号ブロック（ＶＳＳＢ）を検出することと、
検出されたターゲットＶＳＳＢから、ＶＳＳＢインデックス情報を取得することと、
前記ＶＳＳＢインデックス情報に従って、前記ターゲットＶＳＳＢに対応する時間ドメイン位置を決定することと、
前記時間ドメイン位置に従って、前記車載機器と、時間ドメインの同期を実行することと、を含む。
【００１９】
例示的に、前記車載機器によって送信される前記ＶＳＳＢを検出することは、
基地局によって送信されたリソース構成情報を受信することであって、前記リソース構成情報は、前記受信端末に、構成されたリソースを使用して前記ＶＳＳＢを受信するように通知するために使用されることと、
前記リソース構成情報に従って、前記ＶＳＳＢを受信するために使用されるターゲットキャリア周波数情報を決定することと、
前記ターゲットキャリア周波数情報に従って、検出サブキャリア間隔を決定することと、
各前記検出サブキャリア間隔を使用して、ターゲットリソースで前記ＶＳＳＢを検出することと、を含む。
【００２０】
例示的に、前記検出されたターゲットＶＳＳＢから、ＶＳＳＢインデックス情報を取得することは、
前記ターゲットＶＳＳＢを解析して、各信号を取得することであって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことと、
設定信号から前記ＶＳＳＢインデックス情報を取得することであって、前記設定信号は、前記ＰＳＢＣＨ信号および／または前記ＤＭＲＳ信号を含むことと、を含む。
【００２１】
例示的に、前記設定信号から前記ＶＳＳＢインデックス情報を取得することは、
設定ＤＭＲＳシーケンスによって運ばれる情報に従って、前記ＶＳＳＢインデックス情報を取得すること、
設定ＰＳＢＣＨ信号の第１ビットから、前記ＶＳＳＢインデックス情報を解析すること、のうちの任意の１つを含む。
【００２２】
例示的に、前記設定信号から前記ＶＳＳＢインデックス情報を取得することは、
設定ＤＭＲＳシーケンスによって運ばれる情報に従って、前記ＶＳＳＢインデックス情報に対応する、ビット値の一部を取得することと、
設定ＰＳＢＣＨ信号の第２ビットから、前記ＶＳＳＢインデックス情報に対応する、残りのビット値を取得することと、
前記ビット値の一部および前記残りのビット値によって組み合わせる、完全なビット値に従って、前記ＶＳＳＢインデックス情報を決定することと、を含む。
【００２３】
例示的に、前記ＶＳＳＢインデックス情報に従って、前記ＶＳＳＢに対応する時間ドメイン位置を決定することは、
前記ＶＳＳＢインデックス情報、前記ターゲットキャリア周波数情報、ターゲットサブキャリア間隔に従って、前記ターゲットＶＳＳＢに対応する時間ドメイン位置を決定することを含み、ここで、前記ターゲットサブキャリア間隔は、前記ターゲットＶＳＳＢが検出されたときに使用される、検出サブキャリア間隔である。
【００２４】
本開示の実施例の第３態様によれば、参照信号の送信装置を提供し、前記装置は、
ニューラジオ車両対モノ（ＮＲ  Ｖ２Ｘ）システムにおける同期信号ブロック（ＶＳＳＢ）の伝送構成情報を決定するように構成される、構成情報決定モジュールであって、前記伝送構成情報は、前記ＶＳＳＢの送信周期と、前記送信周期におけるＶＳＳＢ送信時間ウィンドウの時間ドメイン位置とを含む、構成情報決定モジュールと、
前記伝送構成情報に応じて、周期的に現れる前記ＶＳＳＢ送信時間ウィンドウ内で、Ｎ（Ｎは１より大きいか等しい整数）個の前記ＶＳＳＢを送信するように構成される、送信モジュールと、を備え、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【００２５】
例示的に、前記送信モジュールは、
前記ＶＳＳＢを送信するために使用されるターゲットキャリア周波数情報を決定するように構成される、キャリア周波数決定サブモジュールと、
前記ターゲットキャリア周波数情報に従って、１つのＶＳＳＢ送信時間ウィンドウ内の、対応するＶＳＳＢの送信可能な時間ドメインリソースの最大数を決定するように構成される、リソース数決定サブモジュールと、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定するように構成される、有効なリソース決定サブモジュールと、
前記有効な時間ドメインリソース情報に従って、前記ＶＳＳＢ送信時間ウィンドウ内で前記ＶＳＳＢを送信するように構成される、送信サブモジュールと、を備える。
【００２６】
例示的に、前記キャリア周波数決定サブモジュールは、
前記基地局によって送信されるリソース構成情報を受信するように構成される、構成情報受信ユニットであって、前記リソース構成情報は、前記車載機器に、構成されたリソースを使用して前記ＶＳＳＢを送信するように通知するために使用される、構成情報受信ユニットと、
前記リソース構成情報に従って、前記ターゲットキャリア周波数情報を決定するように構成される、第１キャリア周波数決定ユニット、または、
事前に構成されたリソース構成情報に従って、前記ターゲットキャリア周波数情報を決定するように構成される、第２キャリア周波数決定ユニットと、を備える。
【００２７】
例示的に、前記リソース数決定サブモジュールは、前記ターゲットキャリア周波数情報に従って、プリセットリストを照会して、前記ターゲットキャリア周波数に対応する、ＶＳＳＢの送信可能な時間ドメインリソースの最大数を決定するように構成され、前記プリセットリストは、キャリア周波数帯域情報と、１つの送信時間ウィンドウ内で伝送される、ＶＳＳＢの送信可能な時間ドメインリソースの最大数との対応関係を含む。
【００２８】
例示的に、前記有効な時間ドメインリソース情報は、有効な単位時間ドメインリソースの数、および各前記有効な単位時間ドメインリソースの位置を含み、
前記有効なリソース決定サブモジュールは、
前記ターゲットキャリア周波数情報に従って、ターゲットサブキャリア間隔を決定するように構成される、サブキャリア間隔決定ユニットと、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定するように構成される、単位時間ドメインリソース決定ユニットであって、ここで、前記単位時間ドメインリソースは、１つのＶＳＳＢを搬送するために使用される時間ドメインリソースである、単位時間ドメインリソース決定ユニットと、
前記アップリンクおよびダウンリンクの時間ドメインリソースの構成情報に従って、現在のＶＳＳＢ送信時間ウィンドウ内の有効な時間ドメインリソースを決定するように構成される、有効な時間ドメインリソース決定ユニットであって、前記有効な時間ドメインリソースは、基地局によって構成される、アップリンク時間ドメインリソースおよび／またはブランクリソースを含む、有効な時間ドメインリソース決定ユニットと、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定するように構成される、インデックス情報決定ユニットと、を備える。
【００２９】
例示的に、前記送信サブモジュールは、
プリセットされた参照情報に従って、ターゲットビームの数を決定するように構成される、ターゲットビーム決定ユニットであって、前記プリセットされた参照情報は、現在の環境で、前記ＶＳＳＢを送信するために必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しい、ターゲットビーム決定ユニットと、
前記有効な時間ドメインリソース情報、および前記ターゲットビームの数に基づいて、送信されるＶＳＳＢの伝送情報を決定するように構成される、伝送情報決定ユニットであって、前記送信されるＶＳＳＢの伝送情報は、送信されるＶＳＳＢの実際の数、各前記送信されるＶＳＳＢが占める有効な単位時間ドメインリソースの位置、および対応するインデックス情報を含む、伝送情報決定ユニットと、
前記送信されるＶＳＳＢの伝送情報に従って、前記ＶＳＳＢ送信時間ウィンドウ内で、各前記ＶＳＳＢを送信するように構成される、送信ユニットと、を備える。
【００３０】
例示的に、前記伝送情報決定ユニットは、
前記有効な時間ドメインリソース情報および前記ターゲットビームの数に基づいて、前記送信されるＶＳＳＢの実際の数を決定するように構成される、数決定サブユニットと、
前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定するように構成される、有効な位置決定サブユニットと、を備える。
【００３１】
例示的に、前記数決定サブユニットは、
前記ターゲットビームの数が、前記有効な単位時間ドメインリソースの数より大きいか等しい場合、前記有効な単位時間ドメインリソースの数を、前記送信されるＶＳＳＢの実際の数として決定するように構成されたり、
前記ターゲットビームの数が、前記有効な単位時間ドメインリソースの数より小さい場合、前記ターゲットビームの数を、前記送信されるＶＳＳＢの実際の数として決定するように構成される。
【００３２】
例示的に、前記送信ユニットは、
前記送信されるＶＳＳＢのインデックス情報を、前記送信されるＶＳＳＢの設定信号にロードして、インデックス情報が運ばれたターゲットＶＳＳＢを生成するように構成される、ターゲットＶＳＳＢ生成サブユニットと、
前記ＶＳＳＢ送信時間ウィンドウ内で、複数のビームを介して、それぞれ、前記ターゲットＶＳＳＢを送信するように構成される、ターゲットＶＳＳＢ送信サブユニットと、を備える。
【００３３】
例示的に、前記ターゲットＶＳＳＢ生成サブユニットは、
前記送信されるＶＳＳＢのインデックス情報を、前記対応するＤＭＲＳターゲットシーケンスを介して指示するように構成されたり、
前記送信されるＶＳＳＢのインデックス情報を、プリセットされたＰＳＢＣＨ信号の第１ビットにロードするように構成されたり、
前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードするように構成される。
【００３４】
例示的に、前記ターゲットＶＳＳＢ送信サブユニットは、周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信するように構成される。
【００３５】
本開示の実施例の第４態様によれば、参照信号の受信装置を提供し、前記装置は、
車載機器によって送信された、ニューラジオ車両対モノ（ＮＲ  Ｖ２Ｘ）システムにおける同期信号ブロック（ＶＳＳＢ）を検出するように構成される、検出モジュールと、
検出されたターゲットＶＳＳＢから、ＶＳＳＢインデックス情報を取得するように構成される、インデックス情報取得モジュールと、
前記ＶＳＳＢインデックス情報に従って、前記ターゲットＶＳＳＢに対応する時間ドメイン位置を決定するように構成される、位置決定モジュールと、
前記時間ドメイン位置に従って、前記車載機器と、時間ドメインの同期を実行するように構成される、同期モジュールと、を備える。
【００３６】
例示的に、前記検出モジュールは、
基地局によって送信されたリソース構成情報を受信するように構成される、構成情報受信サブモジュールであって、前記リソース構成情報は、前記受信端末に、構成されたリソースを使用して前記ＶＳＳＢを受信するように通知するために使用される、構成情報受信サブモジュールと、
前記リソース構成情報に従って、前記ＶＳＳＢを受信するために使用されるターゲットキャリア周波数情報を決定するように構成される、キャリア周波数決定サブモジュールと、
前記ターゲットキャリア周波数情報に従って、検出サブキャリア間隔を決定するように構成される、サブキャリア間隔決定サブモジュールと、
各前記検出サブキャリア間隔を使用して、ターゲットリソースで前記ＶＳＳＢを検出するように構成される、検出サブモジュールと、を備える。
【００３７】
例示的に、前記インデックス情報取得モジュールは、
前記ターゲットＶＳＳＢを解析して、各信号を取得するように構成される、解析サブモジュールであって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む、解析サブモジュールと、
設定信号から前記ＶＳＳＢインデックス情報を取得するように構成される、インデックス情報取得サブモジュールであって、前記設定信号は、前記ＰＳＢＣＨ信号および／または前記ＤＭＲＳ信号を含む、インデックス情報取得サブモジュールと、を備える。
【００３８】
例示的に、前記インデックス情報取得サブモジュールは、
設定ＤＭＲＳシーケンスによって運ばれる情報に従って、前記ＶＳＳＢインデックス情報を取得するように構成される、第１インデックス取得ユニットと、
設定ＰＳＢＣＨ信号の第１ビットから、前記ＶＳＳＢインデックス情報を解析するように構成される、第２インデックス取得ユニットと、を備える。
【００３９】
例示的に、前記インデックス情報取得サブモジュールは、
設定ＤＭＲＳシーケンスによって運ばれる情報に従って、前記ＶＳＳＢインデックス情報に対応する、ビット値の一部を取得するように構成される、第１ビット値決定ユニットと、
設定ＰＳＢＣＨ信号の第２ビットから、前記ＶＳＳＢインデックス情報に対応する、残りのビット値を取得するように構成される、第２ビット値決定ユニットと、
前記ビット値の一部および前記残りのビット値からなる完全なビット値に従って、前記ＶＳＳＢインデックス情報を決定するように構成される、第３インデックス取得ユニットと、を備える。
【００４０】
例示的に、前記位置決定モジュールは、前記ＶＳＳＢインデックス情報、前記ターゲットキャリア周波数情報、ターゲットサブキャリア間隔に従って、前記ターゲットＶＳＳＢに対応する時間ドメイン位置を決定するように構成され、ここで、前記ターゲットサブキャリア間隔は、前記ターゲットＶＳＳＢが検出されたときに使用される、検出サブキャリア間隔である。
【００４１】
本開示の実施例の第５態様によれば、コンピュータ命令が記憶される、非一時的なコンピュータ可読記憶媒体を提供し、前記命令がプロセッサによって実行されるときに、上記の第１態様の任意の一項に記載の方法のステップを実現する。
【００４２】
本開示の実施例の第６態様によれば、コンピュータ命令が記憶される、非一時的なコンピュータ可読記憶媒体を提供し、前記命令がプロセッサによって実行されるときに、上記の第２態様の任意の一項に記載の方法のステップを実現する。
【００４３】
本開示の実施例の第７態様によれば、車載機器を提供し、
プロセッサと、
プロセッサ実行可能命令を記憶するために使用されるメモリと、を備え、
ここで、前記プロセッサは、
ニューラジオ車両対モノ（ＮＲ  Ｖ２Ｘ）システムにおける同期信号ブロック（ＶＳＳＢ）の伝送構成情報を決定し、前記伝送構成情報は、前記ＶＳＳＢの送信周期と、前記送信周期におけるＶＳＳＢ送信時間ウィンドウの時間ドメイン位置と、を含み、
前記伝送構成情報に応じて、周期的に現れる前記ＶＳＳＢ送信時間ウィンドウ内で、Ｎ（Ｎは１より大きいか等しい整数）個の前記ＶＳＳＢを送信するように構成され、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【００４４】
本開示の実施例の第８態様によれば、端末を提供し、
プロセッサと、
プロセッサ実行可能命令を記憶するために使用されるメモリと、を備え、
ここで、前記プロセッサは、
車載機器によって送信された、ニューラジオ車両対モノ（ＮＲ  Ｖ２Ｘ）システムにおける同期信号ブロック（ＶＳＳＢ）を検出し、
検出されたターゲットＶＳＳＢから、ＶＳＳＢインデックス情報を取得し、
前記ＶＳＳＢインデックス情報に従って、前記ターゲットＶＳＳＢに対応する時間ドメイン位置を決定し、
前記時間ドメイン位置に従って、前記車載機器と、時間ドメインの同期を実行するように構成される。
【発明の効果】
【００４５】
本開示の実施例によって提供される技術的解決策は、以下の有利な効果を含み得る。
【００４６】
本開示の実施例は、参照信号の送受信方法、装置、車載機器および端末を提供し、ＮＲ  Ｖ２Ｘシステムにおける車載機器と、受信端末との時間ドメインの同期を、迅速に完成することを保証する。
【００４７】
上記の一般的な説明および後述する詳細な説明は、単なる例示および説明に過ぎず、本開示を限定するものではないことを理解されたい。
【図面の簡単な説明】
【００４８】
ここでの図面は、本明細書に組み込まれてその一部を構成し、本発明と一致する実施例を示し、明細書とともに本発明の原理を説明するために使用される。
【図１】本開示の一例示的な実施例によって示される、ＮＲ  Ｖ２Ｘシステムの適用シナリオの概略図である。
【図２】本開示の一例示的な実施例によって示される、参照信号の送信方法のフローチャートである。
【図３】本開示の一例示的な実施例によって示される、別の参照信号の送信方法のフローチャートである。
【図４】本開示の一例示的な実施例によって示される、別の参照信号の送信方法のフローチャートである。
【図５】本開示の一例示的な実施例によって示される、別の参照信号の送信方法のフローチャートである。
【図６−１】本開示の一例示的な実施例によって示される、参照信号を送信する適用シナリオの概略図である。
【図６−２】本開示の一例示的な実施例によって示される、参照信号を送信する別の適用シナリオの概略図である。
【図７】本開示の一例示的な実施例によって示される、別の参照信号の送信方法のフローチャートである。
【図８−１】本開示の一例示的な実施例によって示される、参照信号を送信する適用シナリオの概略図である。
【図８−２】本開示の一例示的な実施例によって示される、参照信号を送信する別の適用シナリオの概略図である。
【図９】本開示の一例示的な実施例によって示される、別の参照信号の送信方法のフローチャートである。
【図１０】本開示の一例示的な実施例によって示される、参照信号を送信する別の適用シナリオの概略図である。
【図１１】本開示の一例示的な実施例によって示される、参照信号の受信方法のフローチャートである。
【図１２】本開示の一例示的な実施例によって示される、別の参照信号の受信方法のフローチャートである。
【図１３】本開示の一例示的な実施例によって示される、別の参照信号の受信方法のフローチャートである。
【図１４】本開示の一例示的な実施例によって示される、別の参照信号の受信方法のフローチャートである。
【図１５】本開示の一例示的な実施例によって示される、参照信号の送信装置のブロック図である。
【図１６】本開示の一例示的な実施例によって示される、別の参照信号の送信装置のブロック図である。
【図１７】本開示の一例示的な実施例によって示される、別の参照信号の送信装置のブロック図である。
【図１８】本開示の一例示的な実施例によって示される、別の参照信号の送信装置のブロック図である。
【図１９】本開示の一例示的な実施例によって示される、別の参照信号の送信装置のブロック図である。
【図２０】本開示の一例示的な実施例によって示される、別の参照信号の送信装置のブロック図である。
【図２１】本開示の一例示的な実施例によって示される、別の参照信号の送信装置のブロック図である。
【図２２】本開示の一例示的な実施例によって示される、参照信号の受信装置のブロック図である。
【図２３】本開示の一例示的な実施例によって示される、別の参照信号の受信装置のブロック図である。
【図２４】本開示の一例示的な実施例によって示される、別の参照信号の受信装置のブロック図である。
【図２５】本開示の一例示的な実施例によって示される、別の参照信号の受信装置のブロック図である。
【図２６】本開示の一例示的な実施例によって示される、別の参照信号の受信装置のブロック図である。
【図２７】本開示の一例示的な実施例によって示される、車載機器の例示的な構造図である。
【図２８】本開示の一例示的な実施例によって示される、端末の例示的な構造図である。
【発明を実施するための形態】
【００４９】
ここで、例示的な実施例について詳細に説明し、その例は図面に示される。以下の説明が添付の図面に関する場合、特に明記しない限り、異なる図面の同じ数字は、同じまたは類似の要素を表す。以下の例示的な実施例で説明される実施形態は、本発明と一致するすべての実施形態を表すものではない。むしろ、それらは、添付される特許請求の範囲に詳述されるように、本発明の特定の態様と一致する装置および方法の例である。
【００５０】
本開示で使用される用語は、特定の実施例を説明するためにのみ使用され、本開示を限定するものではない。本開示および添付の特許請求の範囲で使用される単数形の「１つ」、「前記」および「当該」は、文脈上他の意味を明確に示さない限り、複数形も含むものとする。本明細書で使用された「および／または」という用語は、１つまたは複数の関連する列挙されるプロジェクトのいずれかまたはすべての可能な組み合わせを指し、それらを含むことも理解されたい。
【００５１】
本開示において、用語「第１」、「第２」、「第３」などを使用して、様々な情報を説明する可能性があるが、これらの情報は、これらの用語に限定されないことを理解されたい。これらの用語は、同じタイプの情報をお互いに区別するために使用される。例えば、本開示の範囲から逸脱することなく、第１情報は、第２情報とも称し得、同様に、第２情報は、第１情報とも称し得る。文脈に応じて、本明細書で使用される言葉「．．．と仮定すると」は、「．．．する場合」または「．．．するとき」または「決定に応じて」と解釈することができる。
【００５２】
本開示に関する実行主体は、ＮＲ  Ｖ２Ｘシステムにおける車載機器および受信端末を含み、ここで、Ｖ２Ｘは、Ｖ２Ｖ車両間の通信、車両とインフラとの通信を表す車両対インフラ（Ｖ２Ｉ：Ｖｅｈｉｃｌｅ  ｔｏ  Ｉｎｆｒａｓｔｒｕｃｔｕｒｅ）、車と運転手の移動端末との通信を表す車両対移動機器（Ｖ２Ｎ：Ｖｅｈｉｃｌｅ  ｔｏ  Ｎｏｍａｄｉｃ  Ｄｅｖｉｃｅ）、車両と歩行者の移動端末との通信を表す車両対歩行者（Ｖ２Ｐ：Ｖｅｈｉｃｌｅ  ｔｏ  Ｐｅｄｅｓｔｒａｉｎ）などの通信方式を含み、図１の一例示的な実施例によって示される適用シナリオの概略図を参照する。ここで、前記受信端末は、車両、インフラ装置、歩行者の移動端末などの端末であり得る。具体的な実現プロセスにおいて、車載機器および受信端末は、それぞれ独立する同ときに、互いに連絡して、本開示によって提供される技術的解決策を共同で実現する。
【００５３】
上記の適用シナリオに基づいて、本開示は、参照信号の送信方法を提供し、車載機器が、５Ｇ  ＮＲシステムにおける基地局によって構成される、プリセットされた時間周波数ドメインリソースに基づいて、サイドリンク（Ｓｉｄｅ  Ｌｉｎｋ）を介して、受信端末と通信することに適用される。ここで、前記プリセットされたリソースは、アップリンク時間ドメインリソースおよび／またはブランクリソースを含む。
【００５４】
図２の一例示的な実施例によって示される、参照信号の送信方法のフローチャートを参照すると、車載機器に適用され、前記方法は、以下のステップを含み得る。
【００５５】
ステップ１１において、ニューラジオ車両対モノ（ＮＲ  Ｖ２Ｘ）システムにおける同期信号ブロック（ＶＳＳＢ）の伝送構成情報を決定し、前記伝送構成情報は、前記ＶＳＳＢの送信周期と、ＶＳＳＢ送信時間ウィンドウが、前記送信周期内の時間ドメイン位置とを含む。
【００５６】
本開示において、ＮＲ  Ｖ２Ｘシステムに使用されるＳＳＢを、ＶＳＳＢと略称する。ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【００５７】
ステップ１２において、前記伝送構成情報に応じて、周期的に現れる前記ＶＳＳＢ送信時間ウィンドウ内で、Ｎ（Ｎは１より大きいか等しい整数）個の前記ＶＳＳＢを送信する。
【００５８】
前記ＶＳＳＢの送信周期が１６０ｍｓであると仮定すると、本開示における各送信周期の固定位置に、１つのＶＳＳＢ送信時間ウィンドウが配置され、例えば、１６０ｍｓの第５０ｍｓの位置に、持続時間が５ｍｓである１つの送信ウィンドウを配置し、ＶＳＳＢ送信周期における前記ＶＳＳＢ送信時間ウィンドウの位置を第５０ｍｓ〜５４ｍｓと表すことができる。
【００５９】
本開示において、１つのＶＳＳＢ送信時間ウィンドウが到着したとき、車載機器は、Ｎ個のＶＳＳＢをビームで送信する。
【００６０】
図３の一例示的な実施例によって示される、別の参照信号の送信方法のフローチャートを参照すると、上記のステップ１２は、以下のステップを含み得る。
【００６１】
ステップ１２１において、前記ＶＳＳＢを送信するために使用されるターゲットキャリア周波数情報を決定し、
ここで、前記ターゲットキャリア周波数情報は、ＶＳＳＢ送信キャリア周波数が属する、周波数帯域および帯域幅を含む。
【００６２】
本開示において、車載機器は、以下の任意の１つの方式を使用して、前記ＶＳＳＢを送信するために使用されるターゲットキャリア周波数情報を決定することができる。
【００６３】
方式１において、事前に構成されたリソース構成情報に従って、前記ターゲットキャリア周波数情報を決定する。
【００６４】
例えば、車載機器のチップに、ＶＳＳＢを指示して送信するキャリア周波数情報が事前に構成され、車載機器は、チップから前記ターゲットキャリア周波数情報を直接に読み取ることができる。
【００６５】
方式２において、基地局によって発行されるリソース構成情報に従って、ターゲットキャリア周波数情報を決定する。
【００６６】
図４の一例示的な実施例によって示される、別の参照信号の送信方法のフローチャートを参照すると、上記のステップ１２１は、以下のステップを含み得る。
【００６７】
ステップ１２１１において、前記基地局によって送信されたリソース構成情報を受信し、前記リソース構成情報は、前記車載機器に、構成されたリソースを使用して前記ＶＳＳＢを送信するように通知するために使用される。
【００６８】
上記のように、本開示におけるＶＳＳＢの伝送は、基地局によって構成される、プリセットされたリソースを使用して伝送を実行し、一実施例において、基地局が車載機器に対して構成したリソースブロックは、基地局で使用されるリソースと、同じキャリア周波数にある可能性があり、前記リソース構成情報中には、キャリア周波数帯域情報を指示する必要はなく、リソースブロック（ＲＢ：ｒｅｓｏｕｒｃｅ  ｂｌｏｃｋ）の位置情報のみを指示することができる。
【００６９】
基地局が、車載機器に対して構成したリソースブロックと、基地局で使用されるリソースが、異なるキャリア周波数にあると、前記リソース構成情報中には、キャリア周波数帯域情報およびリソースブロック位置情報を指示する必要がある。
【００７０】
ステップ１２１２において、前記リソース構成情報に従って、前記ターゲットキャリア周波数情報を決定する。
【００７１】
対応的に、車載機器が、前記リソース構成情報から、リソースブロック位置情報のみを取得した場合、プロトコルの規定に応じて、現在の基地局と通信する動作キャリア周波数を、前記ＶＳＳＢを送信するために使用されるターゲットキャリア周波数として決定する。
【００７２】
別の実施例において、車載機器は、基地局によって通知されるキャリア周波数帯域情報に従って、ターゲットキャリア周波数を決定する。
【００７３】
ステップ１２２において、前記ターゲットキャリア周波数情報に従って、１つのＶＳＳＢ送信時間ウィンドウ内の、対応するＶＳＳＢの送信可能な時間ドメインリソースの最大数を決定する。
【００７４】
本開示の一実施例において、システムは、異なる周波数帯域のキャリア周波数が、１つの送信時間ウィンドウ内の、対応するＶＳＳＢの送信可能な時間ドメインリソースの最大数（Ｎｍａｘ）を合意することができる。
【００７５】
車載機器において、プリセットリストを使用して、キャリア周波数帯域情報ｆと、１つの送信時間ウィンドウ内で伝送された、ＶＳＳＢの送信可能な時間ドメインリソースの最大数（Ｎｍａｘ）との対応関係を記録することができる。例示的に、前記プリセットリストは、表１に示されるようである。
【００７６】
【表１】
2021533684.tif 000003
【００７７】
車載機器が、ＶＳＳＢを送信するターゲットキャリア周波数を決定した後、上記の表１を照会して、ターゲットキャリア周波数に対応するＶＳＳＢの送信可能な時間ドメインリソースの最大数、即ちＮｍａｘを決定することができる。
【００７８】
ステップ１２３において、前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定する。
【００７９】
本開示において、１つの周期的に到着したＶＳＳＢ送信時間ウィンドウ内の部分的な時間ドメインリソースは、基地局によって、ダウンリンク時間ドメインリソースなどの、ＶＳＳＢ送信利用不可能リソースとして構成される可能性があることを鑑みて、車載機器は、前記Ｎｍａｘと、基地局によって発行されるアップリンクおよびダウンリンクの時間ドメインリソースの構成情報に従って、前記ＶＳＳＢ送信時間ウィンドウ内の、ＶＳＳＢを送信するために使用される有効な時間ドメインリソース情報を正確に決定する必要がある。
【００８０】
図５の一例示的な実施例によって示される、別の参照信号の送信方法のフローチャートを参照すると、上記のステップ１２３は、以下のステップを含み得る。
【００８１】
ステップ１２３１において、前記ターゲットキャリア周波数情報に従って、ターゲットサブキャリア間隔を決定する。
【００８２】
ＮＲ  Ｖ２Ｘシステムにおいて、１つのキャリア周波数に対応する利用可能なサブキャリア間隔は、複数である可能性かある。例えば、６ＧＨｚ以下の周波数帯域である場合、システムが、ＶＳＳＢを送信するために使用できるサブキャリア間隔は、１５ＫＨｚ、３０ＫＨｚ、６０ＫＨｚを含む。６ＧＨｚ以上の周波数帯域である場合、システムが、ＶＳＳＢを送信するために使用できるサブキャリア間隔は、１２０ＫＨｚ、２４０ＫＨｚ、４８０ＫＨｚを含む。車載機器のターゲットキャリア周波数が属する周波数帯域が高いほど、ＶＳＳＢを送信するために使用するサブキャリア間隔も大きいことができる。車載機器は、現在の車速に従って、ターゲットサブキャリア間隔を決定することができ、例えば、車速が、プリセットされた閾値を超えるとき、ドップラ周波数シフトを対向するために、より大きいなサブキャリア間隔を使用する。
【００８３】
ステップ１２３２において、前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定し、ここで、前記単位時間ドメインリソースは、１つのＶＳＳＢを搬送するために使用される時間ドメインリソースである。
【００８４】
例示的に、車載機器のターゲットキャリア周波数が、３ＧＨｚ周波数帯域に属すると仮定すると、決定されたターゲットサブキャリア間隔は１５ＫＨｚであり、１ｍｓに１つのスロットｓｌｏｔを含み、前記ＶＳＳＢ送信時間ウィンドウが５ｍｓであると仮定すると、前記ＶＳＳＢ送信時間ウィンドウ内に、５つのスロットを含み、各スロットの番号は、０、１、２、３、４であり得る。
【００８５】
システムが、３ＧＨｚの周波数帯域を規定すると、１つのスロット内に、１つの単位時間ドメインリソースを配置する。上記のステップ１２２で決定された、前記ＶＳＳＢの送信可能な時間ドメインリソースの最大数（Ｎｍａｘ）を４と仮定すると、前記ＶＳＳＢ送信時間ウィンドウ内の各単位時間ドメインリソースの位置およびインデックス情報は、図６−１に示されるように、４つのＶＳＳＢインデックス情報は、それぞれ、ＶＳＳＢ０、ＶＳＳＢ１、ＶＳＳＢ２、ＶＳＳＢ３であり得る。
【００８６】
別の実施例において、車載機器のターゲットキャリア周波数が、６ＧＨｚの周波数帯域に属すると仮定すると、上記のステップ１２２で決定された、ＶＳＳＢの送信可能な時間ドメインリソースの最大数は、８と等しい。プロトコルが、６ＧＨｚの周波数帯域で、サブキャリア間隔は、１５ＫＨｚであると規定する場合、各ｓｌｏｔは、２つの単位時間ドメインリソースを配置する。図６−２に示されるように、前記ＶＳＳＢ送信時間ウィンドウ内の各単位時間ドメインリソースの位置およびインデックス情報は、Ｖ０〜Ｖ７である。
【００８７】
ステップ１２３３において、前記アップリンクおよびダウンリンクの時間ドメインリソースの構成情報に従って、現在のＶＳＳＢ送信時間ウィンドウ内の有効な時間ドメインリソースを決定し、前記有効な時間ドメインリソースは、基地局によって構成される、アップリンク時間ドメインリソースおよび／またはブランクリソースを含み、ここで、前記ブランクリソースは、柔軟なリソースであり、即ち、現在の基地局は、当該時間ドメインリソースは、アップリンクの伝送に使用されるか、またはダウンリンク伝送に使用されるかは、まだ決定されていなく、いずれも可能性がある。ダウンリンク時間ドメインリソースとして構成されると決定されていない限り、有効な時間ドメインリソースである。
【００８８】
本開示において、システムが、ＶＳＳＢ送信時間ウィンドウ内の時間ドメインリソースが、アップリンクリソースおよび／またはブランクリソースとして構成されると合意する場合、ＶＳＳＢを伝送するために使用されることができる。
【００８９】
依然として、図６−１に示されるように、一実施例において、単位時間ドメインリソースが位置するスロットが、即ち、番号が０〜３であるスロットが、すべて基地によってアップリンク時間ドメインリソースとして構成される場合、または部分的にブランクリソースとして構成される場合、前記第０〜３号のスロットは、現在のＶＳＳＢを伝送することができる、有効な時間ドメインリソースに属する。
【００９０】
本開示の別の実施例において、前記アップリンクおよびダウンリンクの時間ドメインリソースの構成情報に従って、前記ＶＳＳＢ送信時間ウィンドウ内の第１号スロットが、ダウンリンク時間ドメインリソースとして構成されると決定すると、現在のＶＳＳＢ送信時間ウィンドウ内の有効な時間ドメインリソースは、０、２、３号スロットである。
【００９１】
ステップ１２３４において、前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定する。
【００９２】
本開示において、システムの合意に従って、ターゲットキャリア周波数情報、サブキャリア間隔が決定される場合、１つのＶＳＳＢ送信時間ウィンドウに対応する、単位時間ドメインリソースインデックス情報は、プリセットされている。図６−１に示されるように、システムの合意に応じて、周波数帯域は３ＧＨｚであり、サブキャリア間隔は１５ＫＨｚである場合、１つのＶＳＳＢ送信時間ウィンドウに対応する、単位時間ドメインリソースインデックス情報は、ＶＳＳＢ０、ＶＳＳＢ１、ＶＳＳＢ２、ＶＳＳＢ３である。
【００９３】
第１号スロットが、ダウンリンクリソースとして構成される場合、現在のＶＳＳＢを送信するために使用されることができる、有効な単位時間ドメインリソースの数は、３つであり、それぞれ、スロット０に位置するＶＳＳＢ０、スロット２に位置するＶＳＳＢ２、スロット３に位置するＶＳＳＢ３である。各ＶＳＳＢが、１つのスロットで占めるシンボルの範囲は、システムによって合意されるものであり得、例えば、＃２〜＃６シンボル（ｓｙｍｂｏｌ）であり得る。
【００９４】
上記の実施例において、車載機器によって決定された前記有効な単位時間ドメインリソースの数と、各前記有効な単位時間ドメインリソースの位置およびインデックス情報は、表２に示されるようであり得る。
【００９５】
【表２】
2021533684.tif 000004
【００９６】
ステップ１２４において、前記有効な時間ドメインリソース情報に従って、前記ＶＳＳＢ送信時間ウィンドウ内で前記ＶＳＳＢを送信する。
【００９７】
本開示において、車載機器は、現在のＶＳＳＢ送信時間ウィンドウ内の有効な時間ドメインリソースを使用して、受信端末にＶＳＳＢを送信することがきる。
【００９８】
図７の一例示的な実施例によって示される、別の参照信号の送信方法のフローチャートを参照すると、上記のステップ１２４は、以下のステップを含み得る。
【００９９】
ステップ１２４１において、プリセットされた参照情報に従って、ターゲットビームの数を決定し、前記プリセットされた参照情報は、現在の環境で、前記ＶＳＳＢを送信するために必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しい。
【０１００】
本開示において、車載機器は、ターゲット周波数帯域情報に従って、ＶＳＳＢの送信可能な時間ドメインリソースの最大数（Ｎｍａｘ）を決定した後、Ｎｍａｘ＝８と仮定すると、一般的な場合には、８つのビームを使用して、異なる方向にＶＳＳＢを送信する必要がある。ここで、１つのビームは、１つのプリセットされた方向で、少なくとも１つの前記ＶＳＳＢを送信するために使用される。即ち、一般的な場合に、ＶＳＳＢを送信するビームの数は、前記ＶＳＳＢの送信可能な時間ドメインリソースの最大数と等しい。
【０１０１】
本開示の一実施例において、電力を節約するために、車載機器は、さらに、周囲の受信端末の数および分布状況、現在の地理位置の地形情報などの、プリセットされた参照情報に結合して、実際に送信する必要があるビーム（ｂｅａｍ）の数を決定することができる。
【０１０２】
例えば、Ｖ２Ｖシステムにおいて、車載機器が、現在、山道を沿って運転し、片側が山に近い場合、車載機器は、山の方向にＶＳＳＢを送信する必要はなく、送信されるビームの数を減ることができ、例えば、４に減らすことができる。
【０１０３】
ステップ１２４２において、前記有効な時間ドメインリソース情報および前記ターゲットビームの数に基づいて、送信されるＶＳＳＢの伝送情報を決定し、前記送信されるＶＳＳＢの伝送情報は、送信されるＶＳＳＢの実際の数、各前記送信されるＶＳＳＢが占める有効な単位時間ドメインリソースの位置、および対応するインデックス情報を含む。
【０１０４】
ターゲットビームの数を決定した後、車載機器は、前記有効な時間ドメインリソース情報および前記ターゲットビームの数に基づいて、前記送信されるＶＳＳＢの実際の数を決定することができ、以下の２つの場合を含み得る。
【０１０５】
状況１において、前記ターゲットビームの数が、前記有効な単位時間ドメインリソースの数より大きいか等しい場合、前記有効な単位時間ドメインリソースの数は、前記送信されるＶＳＳＢの実際の数として決定する。
【０１０６】
例示的に、図８−１に示されるように、図６−１に示されたＶＳＳＢ送信時間ウィンドウ内のスロット１が、ダウンリンクリソースとして構成されるとき、前記ＶＳＳＢ送信時間ウィンドウ内の、有効な単位時間ドメインリソースの数は３と等しく、前記ターゲットビームの数である４より小さいため、車載機器は、送信されるＶＳＳＢの数を３として決定する。
【０１０７】
状況２において、前記ターゲットビームの数が、前記有効な単位時間ドメインリソースの数より小さい場合、前記ターゲットビームの数を、前記送信されるＶＳＳＢの実際の数として決定する。
【０１０８】
例示的に、図８−２に示されるように、図６−２に示されたＶＳＳＢ送信時間ウィンドウ内のスロット１が、ダウンリンクリソースとして構成されるとき、前記有効な単位時間ドメインリソースの数は、６と等しく、ターゲットビームの数４より大きいため、送信されるＶＳＳＢの数を４として決定することができる。
【０１０９】
送信されるＶＳＳＢの実際の数を決定した後、上記のステップ１２３４で決定される、有効な単位時間ドメインリソースの位置およびインデックス情報に従って、各送信されるＶＳＳＢが占める有効な単位時間ドメインリソースの位置およびインデックス情報を決定する。図８−１に示されるように、インデックス情報ＶＳＳＢ０、ＶＳＳＢ２、ＶＳＳＢ３に対応する、有効な単位時間ドメインリソースを、ＶＳＳＢを送信するために使用する。
【０１１０】
本開示の別の実施例において、有効な単位時間ドメインリソースの数が、送信されるＶＳＳＢの数より大きい場合に対応して、図８−２に示されるように、送信されるＶＳＳＢの数は、４と等しく、有効な単位時間ドメインリソースの数は、６と等しい。車載機器は、前記６つの有効な単位時間ドメインリソース（Ｖ０、Ｖ１、Ｖ４、Ｖ５、Ｖ６、Ｖ７）から、４つを任意に選択して、ＶＳＳＢを送信するために使用することができる。例えば、Ｖ０、Ｖ１、Ｖ４、Ｖ５に対応する位置を選択して送信することができ、Ｖ０、Ｖ１、Ｖ６、Ｖ７、またはＶ４、Ｖ５、Ｖ６、Ｖ７の位置を選択して送信することもでき、または非連続的な４つの位置で送信することもでき、本開示は、これに限定されない。
【０１１１】
ステップ１２４３において、前記送信されるＶＳＳＢの伝送情報に従って、前記ＶＳＳＢ送信時間ウィンドウ内で、各前記ＶＳＳＢを送信する。
【０１１２】
図８−１は、送信されるＶＳＳＢが３つであり、有効な単位時間ドメインリソースも３である場合、ＶＳＳＢの送信の概略図を示し、即ち、３つのＶＳＳＢは、それぞれ、インデックス情報が、ＶＳＳＢ０、ＶＳＳＢ２、ＶＳＳＢ３である位置で送信する。
【０１１３】
図８−２は、送信されるＶＳＳＢの数が、有効な単位時間ドメインリソースの数より小さい場合、車載機器は、ＶＳＳＢ送信時間ウィンドウの前の時間ドメイン位置を選択して、各ＶＳＳＢを送信する適用シナリオの概略図を示す。即ち、送信される４つのＶＳＳＢは、それぞれ、インデックス情報が、Ｖ０、Ｖ１、Ｖ４、Ｖ５である位置で送信される。
【０１１４】
本開示において、車載機器は、有効な単位時間ドメインリソースを使用して、受信端末にＶＳＳＢを送信するとき、前記有効な単位時間ドメインリソースのインデックス情報を運ぶ必要があり、これにより、受信端末が、前記インデックス情報に従って、車載機器と時間ドメインの同期を実行するようにする。
【０１１５】
図９の一例示的な実施例によって示される、別の参照信号の送信方法のフローチャートを参照すると、上記のステップ１２４３は、以下のステップを含み得る。
【０１１６】
ステップ１２０１において、前記送信されるＶＳＳＢのインデックス情報を、前記送信されるＶＳＳＢの設定信号にロードして、インデックス情報が運ばれたターゲットＶＳＳＢを生成する。
【０１１７】
図８−１に示される実施例において、まもなくＶＳＳＢ３位置で送信される、１つの送信されるＶＳＳＢに対して、車載機器は、インデックス情報ＶＳＳＢ３を、ＤＭＲＳ信号および／またはＰＳＢＣＨ信号などの、前記ＶＳＳＢの設定信号に運んで、受信端末に送信することができる。
【０１１８】
本開示において、以下のうちの任意の１つの方式を使用して、前記送信されるＶＳＳＢのインデックス情報を、前記送信されるＶＳＳＢの設定信号にロードすることができる。
【０１１９】
方式１において、前記送信されるＶＳＳＢのインデックス情報を、前記対応するＤＭＲＳターゲットシーケンスを介して指示する。
【０１２０】
図６−１に示される１つのＶＳＳＢ送信時間ウィンドウ内に４つのインデックス情報を含むことを例とし、本開示において、システムは、前記インデックス情報と、ＤＭＲＳシーケンスとの対応関係を合意することができ、例示的に、表３に示されるようである。
【０１２１】
【表３】
2021533684.tif 000005
【０１２２】
表３を参照すると、車載機器は、ＶＳＳＢ３に対応するシーケンス「＊＊＊＊」を、前記ＶＳＳＢのＤＭＲＳ信号にロードすることができる。ＤＭＲＳシーケンス「＊＊＊＊」を介して、前記インデックス情報であるＶＳＳＢ３を指示する。
【０１２３】
方式２において、前記送信されるＶＳＳＢのインデックス情報を、プリセットされたＰＳＢＣＨ信号の第１ビットにロードする。
【０１２４】
本開示の別の実施例において、前記インデックス情報を、プリセットされたＰＳＢＣＨ信号の予約情報ビットに、または新たな情報ビットにロードすることができる。本開示は、これを第１ビットと称する。例えば、ＶＳＳＢ３に対応するビット値１１を、前記プリセットされたＰＳＢＣＨ信号の２つの予約ｂｉｔまたは新たなｂｉｔに配置して、前記インデックス情報を指示する。
【０１２５】
方式３において、前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードする。
【０１２６】
本開示の別の実施例において、さらに、ＤＭＲＳターゲットシーケンスを、プリセットされたＰＳＢＣＨ信号中に配置されるビット情報に結合する方式を介して、前記インデックス情報を表すことができる。
【０１２７】
依然として上記の例示のように、インデックス情報ＶＳＳＢ３に対して、対応するビット値は、１１であり、本開示の実施例において、下位のビット値「１」を、「＊」などの、プリセットされたＤＭＲＳターゲットシーケンスを使用して指示し、上位のビット値「１」を、プリセットされたＰＳＢＣＨ信号中の予約ビット中、または、新たなビット中に配置することができる。本開示は、ＰＳＢＣＨ信号中の、部分的なインデックス情報を搬送するために使用される、予約ビットまたは新たなビットを、第２ビットと称する。本開示の別の実施例において、システムは、ＤＭＲＳターゲットシーケンスを介してインデックス情報に対応する上位ビット値を指示し、対応的に、プリセットされたＰＳＢＣＨ信号における第２ビットで、残りのビット値を指示することについて合意することができ、本開示は、これに限定されない。
【０１２８】
本開示において、ＶＳＳＢインデックス情報を運ぶ、送信されるＶＳＳＢをターゲットＶＳＳＢと称する。
【０１２９】
ステップ１２０２において、周期的に現れる前記ＶＳＳＢ送信時間ウィンドウ内で、複数のビームを介して、それぞれ、前記ターゲットＶＳＳＢを送信する。
【０１３０】
本開示において、異なる時間に、それぞれ、１つのビームを使用して、異なる方向に、ターゲットＶＳＳＢを送信し、例えば、図８−１に示される例において、５ｍｓの最初の１つのスロットＶＳＳＢ０では、１つのビームを使用して、インデックス情報ＶＳＳＢ０を運ぶターゲットＶＳＳＢを一方向に送信し、第３のスロットＶＳＳＢ２に対応する時間ドメイン位置では、１つのビームを使用して、インデックス情報ＶＳＳＢ２を運ぶターゲットＶＳＳＢを別の方向に送信し、これによって類推する。
【０１３１】
なお、本開示において、車載機器の前記ＶＳＳＢ送信時間ウィンドウ内で、１つのＶＳＳＢのＰＳＢＣＨ信号およびＤＭＲＳ信号を送信することに関して、本開示は、以下の３つの送信モードを使用することができる。
【０１３２】
第１の送信モードにおいて、１つのＶＳＳＢにおけるＰＳＢＣＨ信号およびＤＭＲＳ信号は、時分割多重（ＴＤＭ：Ｔｉｍｅ  Ｄｉｖｉｓｉｏｎ  Ｍｕｌｔｉｐｌｅｘｉｎｇ）モードを使用して送信し、即ち、ＰＳＢＣＨ信号およびＤＭＲＳ信号は、それぞれ、異なるシンボルに対応する時間周波数リソースで送信され、当該モードでは、両方の周波数領域は、同じであり得るが、時間ドメインは異なる。
【０１３３】
第２の送信モードにおいて、１つのＶＳＳＢにおけるＰＳＢＣＨ信号およびＤＭＲＳ信号は、周波数分割多重（ＦＤＭ：Ｆｒｅｑｕｅｎｃｙ  Ｄｉｖｉｓｉｏｎ  Ｍｕｌｔｉｐｌｅｘｉｎｇ）モードを使用して送信し、即ち、ＰＳＢＣＨ信号およびＤＭＲＳ信号は、同じシンボルに対応する、異なる周波数領域リソースで送信されることができ、当該モードでは、両方の時間ドメインは、同じであり得るが、周波数領域は異なる。
【０１３４】
第３の送信モードにおいて、ＴＤＭおよびＦＤＭを組み合わせる方式を使用して、前記ＰＳＢＣＨ信号およびＤＭＲＳ信号を送信する。図１０の一例示的な実施例によって示される、参照信号を送信する別の適用シナリオの概略図を参照すると、ＰＳＢＣＨ信号が占める、＃５シンボルなどの、シンボルに対応する時間周波数リソースにおいて、例えば、任意の１つのＲＢで含まれる１２個のリソース要素（ＲＥ：Ｒｅｓｏｕｒｃｅ  Ｅｌｅｍｅｎｔ）において、ＲＥ＃３、ＲＥ＃７、ＲＥ＃１１などの、リソースの一部は、ＤＭＲＳ信号を送信するために使用され、残りのＲＥは、ＰＳＢＣＨ信号を送信するために使用される。なお、ＤＭＲＳ信号は、さらに、＃６シンボルに対応する時間周波数リソースで送信される（未図示）。同時にＰＳＢＣＨおよびＤＭＲＳを持つシンボルにおいて、ＤＭＲＳが占めるＲＥの比率は、１／３または１／４などであり得る。
【０１３５】
要約すれば、本開示は、５Ｇ  ＮＲ  Ｖ２Ｘシステムに対して、参照信号の送信方法を設計し、受信端末が、車載機器によって送信されたＶＳＳＢを受信した後、ＶＳＳＢ中の参照信号、およびＶＳＳＢで運ばれるインデックス情報を使用して、車載機器と迅速に時間ドメイン同期を実行するように、車載機器は、周期的に到着するＶＳＳＢ送信時間ウィンドウ内で、同期信号ブロックＶＳＳＢ構造で、ビームを介して異なる方向の受信端末に参照信号を送信することにより、受信端末と車載機器との時間ドメイン同期効率を改善し、信号が同期するのに費やされる時間を減らし、車載機器と受信端末との即時通信を保証することができる。
【０１３６】
対応的に、本開示は、さらに、ＮＲ  Ｖ２Ｘシステムの受信端末に適用される、参照信号の受信方法を提供する。
【０１３７】
図１１の一例示的な実施例によって示される、参照信号の受信方法のフローチャートを参照すると、前記方法は、以下のステップを含み得る。
【０１３８】
ステップ２１において、車載機器によって送信された、ニューラジオ車両対モノ（ＮＲ  Ｖ２Ｘ）システムにおける同期信号ブロック（ＶＳＳＢ）を検出する。
【０１３９】
本開示の一実施例において、受信端末は、チップに内蔵されるシステムを介して、キャリア周波数情報を合意することもでき、または、基地局によって送信されるリソース構成情報を受信して、ターゲットキャリア周波数情報を決定することができ、前記ターゲットキャリア周波数とは、受信端末が、車載機器から、ＶＳＳＢを受信するときに使用されるキャリア周波数を指す。
【０１４０】
一実施例において、図１２の一例示的な実施例によって示される、別の参照信号の受信方法のフローチャートを参照すると、前記ステップ２１は、以下のステップを含み得る。
【０１４１】
ステップ２１１において、基地局によって送信されるリソース構成情報を受信し、前記リソース構成情報は、前記受信端末に、構成されたリソースを使用して前記ＶＳＳＢを受信するように通知するために使用される。
【０１４２】
ステップ２１２において、前記リソース構成情報に従って、前記ＶＳＳＢを受信するために使用されるターゲットキャリア周波数情報を決定する。
【０１４３】
上記のステップ１２１１、１２１２と同様に、本開示の実施例において、基地局は、受信端末にリソース構成情報を送信して、受信端末に、どのキャリア周波数で、車載機器によって送信されるＶＳＳＢを受信するかを通知することもできる。
【０１４４】
ステップ２１３において、前記ターゲットキャリア周波数情報に従って、検出サブキャリア間隔を決定する。
【０１４５】
例えば車両Ｂなどの受信端末が、ＶＳＳＢを受信するために使用されるキャリア周波数が３ＧＨｚ周波数帯域のキャリア周波数であると決定すると仮定する。システムプロトコルが、１つの周波数帯域のキャリア周波数が使用可能なサブキャリア間隔は、１つまたは複数であり得ると規定すると、受信端末は、前記各利用可能なサブキャリア間隔を検出サブキャリア間隔として決定することができ、例えば、３ＧＨｚ周波数帯域に対応する検出サブキャリア間隔は、１５ＫＨｚ、３０ＫＨｚを含み得る。
【０１４６】
ステップ２１４において、各前記検出サブキャリア間隔を使用して、ターゲットリソースで前記ＶＳＳＢを検出する。
【０１４７】
上記の例のように、受信端末は、１５ＫＨｚ、３０ＫＨｚを使用して、ＶＳＳＢをモニタリングし、ＶＳＳＢを検出したときに使用される検出サブキャリア間隔を、１５ＫＨｚなどの、ターゲットサブキャリア間隔として決定することができる。
【０１４８】
ステップ２２において、検出されたターゲットＶＳＳＢから、ＶＳＳＢインデックス情報を取得し、
図１３の一例示的な実施例によって示される、別の参照信号の受信方法のフローチャートを参照すると、前記ステップ２２は、以下のステップを含み得る。
【０１４９】
ステップ２２１において、前記ターゲットＶＳＳＢを解析して、各信号を取得し、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【０１５０】
ステップ２２２において、設定信号から前記ＶＳＳＢインデックス情報を取得する。
【０１５１】
前記設定信号は、前記ターゲットＶＳＳＢ中に含まれるプリセットされたＰＳＢＣＨ信号、プリセットされたＤＭＲＳ信号、または両方の組み合わせであり得る。
【０１５２】
上記のステップ１２０１に対応して、本開示において、受信端末は、以下の任意の方式を使用して、ターゲットＶＳＳＢ中の設定信号から、ＶＳＳＢインデックス情報を取得することができる。
【０１５３】
方式１において、設定ＤＭＲＳシーケンスによって運ばれる情報に従って、前記ＶＳＳＢインデックス情報を取得する。
【０１５４】
例示的に、プリセットされたＤＭＲＳ信号で運ばれるＤＭＲＳシーケンスが、＊＊＊＊であると仮定すると、照会システムで合意された、３ＧＨｚ周波数帯域、サブキャリア間隔１５ＫＨｚの条件で、インデックス情報と、ＤＭＲＳシーケンスとの対応関係は、上記の表３に示されるように、ターゲットＶＳＳＢのインデックス情報はＶＳＳＢ３であると決定し得る。
【０１５５】
方式２において、設定ＰＳＢＣＨ信号の第１ビットから、前記ＶＳＳＢインデックス情報を解析する。
【０１５６】
上記のステップ１２０１の実施形態２に対応して、例示的に、ターゲットＶＳＳＢのプリセットされたＰＳＢＣＨ信号のプリセットビット、即ち、第１ビット中で情報ビット値が１１であると検出される場合、前記ターゲットＶＳＳＢで運ばれるＶＳＳＢインデックス情報はＶＳＳＢ３であると決定し得る。
【０１５７】
方式３において、プリセットされたＰＳＢＣＨ信号およびプリセットされたＤＭＲＳ信号からＶＳＳＢインデックス情報を取得する。
【０１５８】
図１４の一例示的な実施例によって示される、別の参照信号の受信方法のフローチャートを参照すると、前記ステップ２２２は、以下のステップを含み得る。
【０１５９】
ステップ２２２１において、設定ＤＭＲＳシーケンスによって運ばれる情報に従って、前記ＶＳＳＢインデックス情報に対応する、ビット値の一部を取得する。
【０１６０】
ステップ２２２２において、設定ＰＳＢＣＨ信号の第２ビットから、前記ＶＳＳＢインデックス情報に対応する、残りのビット値を取得する。
【０１６１】
ステップ２２２３において、前記ビット値の一部および前記残りのビット値からなる完全なビット値に従って、前記ＶＳＳＢインデックス情報を決定する。
【０１６２】
上記のステップ１２０１の実施形態３に対応して、ターゲットＶＳＳＢのプリセットＤＭＲＳ信号で運ばれるＤＭＲＳシーケンスに対応するビット値が、１と仮定すると、ターゲットＶＳＳＢの設定ＰＳＢＣＨ信号の第２ビットから取得されたビット値は、１である。システムが、プリセットされたＤＭＲＳ信号で運ばれるＤＭＲＳシーケンスが、ＶＳＳＢインデックス情報がビット値中の上位ビット値に対応するように指示する、と合意すると、設定ＰＳＢＣＨ信号の第２ビットの値は、ＶＳＳＢインデックス情報に対応するビット値中の下位ビット値である。または、システムが、プリセットされたＤＭＲＳ信号で運ばれるＤＭＲＳシーケンスが、ＶＳＳＢインデックス情報がビット値中の下位ビット値に対応するように指示する、と合意すると、設定ＰＳＢＣＨ信号の第２ビットの値は、ＶＳＳＢインデックス情報に対応するビット値中の上位ビット値である。そして、設定ＤＭＲＳシーケンスで運ばれる情報、および設定ＰＳＢＣＨ信号の第２ビット値に従って、ターゲットＶＳＳＢに対応するＶＳＳＢインデックス情報に対応する完全なビット値は１１であると決定し、それにより、前記ターゲットＶＳＳＢのＶＳＳＢインデックス情報はＶＳＳＢ３であると決定する。
【０１６３】
ステップ２３において、前記ＶＳＳＢインデックス情報に従って、前記ターゲットＶＳＳＢに対応する時間ドメイン位置を決定する。
【０１６４】
具体的には、受信端末は、前記ＶＳＳＢインデックス情報、前記ターゲットキャリア周波数情報、ターゲットサブキャリア間隔に従って、前記ターゲットＶＳＳＢに対応する時間ドメイン位置を決定する。依然として、ターゲットキャリア周波数は３ＧＨｚであり、ターゲットサブキャリア間隔は１５ＫＨｚであり、ＶＳＳＢインデックス情報はＶＳＳＢ３であることを例とすると、図６−１に従って、ターゲットＶＳＳＢが、送信時間ウィンドウ内の正確な時間ドメイン位置、即ち、ＶＳＳＢ送信時間ウィンドウ内の第４のスロット、即ち番号が３であるｓｌｏｔ中の、第＃２〜＃６シンボルを決定することができる。
【０１６５】
ステップ２４において、前記時間ドメイン位置に従って、前記車載機器と、時間ドメインの同期を実行する。
【０１６６】
上記の各方法の実施例において、簡単な説明のために、それらを一連の動作の組み合わせとして表現したが、当業者は、本開示に応じると、いくつかのステップは、他の順序でまたは同時に実行することができるため、本開示は、説明された動作の順序に限定されないことを理解すべきである。
【０１６７】
さらに、当業者は、明細書で説明される実施例は、すべて例示的な実施例に属し、関する動作およびモジュールは、本開示によって必ずしも必要とされないことも理解すべきである。
【０１６８】
上記のアプリケーション機能の実現方法の実施例に対応して、本開示は、プリケーション機能の実現装置および対応する端末の実施例をさらに提供する。
【０１６９】
それに対応して、本開示は、車載機器に配置されることができる、参照信号の送信装置を提供する。図１５の一例示的な実施例によって示される、参照信号の送信装置のブロック図を参照すると、前記装置は、
ニューラジオ車両対モノ（ＮＲ  Ｖ２Ｘ）システムにおける同期信号ブロック（ＶＳＳＢ）の伝送構成情報を決定するように構成される、構成情報決定モジュール３１であって、前記伝送構成情報は、前記ＶＳＳＢの送信周期と、前記送信周期におけるＶＳＳＢ送信時間ウィンドウの時間ドメイン位置とを含む、構成情報決定モジュール３１と、
前記伝送構成情報に応じて、周期的に出現する前記ＶＳＳＢ送信時間ウィンドウ内に、Ｎ（Ｎは１より大きいか等しい整数）個の前記ＶＳＳＢを送信するように構成される送信モジュール３２と、を備えることができる。
【０１７０】
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【０１７１】
図１６の一例示的な実施例によって示される、参照信号の送信装置のブロック図を参照すると、図１５に示される装置実施例の基で、前記送信モジュール３２は、キャリア周波数決定サブモジュール３２１と、リソース数決定サブモジュール３２２と、有効なリソース決定サブモジュール３２３と、送信サブモジュール３２４と、を備えることができる。
【０１７２】
キャリア周波数決定サブモジュール３２１は、前記ＶＳＳＢを送信するために使用されるターゲットキャリア周波数情報を決定するように構成される。
【０１７３】
リソース数決定サブモジュール３２２は、前記ターゲットキャリア周波数情報に従って、１つのＶＳＳＢ送信時間ウィンドウ内の、対応するＶＳＳＢの送信可能な時間ドメインリソースの最大数を決定するように構成される。
【０１７４】
本開示の一装置実施例において、前記リソース数決定サブモジュール３２２は、前記ターゲットキャリア周波数情報に従って、プリセットリストを照会して、前記ターゲットキャリア周波数に対応する、ＶＳＳＢの送信可能な時間ドメインリソースの最大数を決定するように構成されることができ、前記プリセットリストは、キャリア周波数帯域情報と、１つの送信時間ウィンドウ内で伝送される、ＶＳＳＢの送信可能な時間ドメインリソースの最大数との対応関係を含む。
【０１７５】
有効なリソース決定サブモジュール３２３は、前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定するように構成される。
【０１７６】
送信サブモジュール３２４は、前記有効な時間ドメインリソース情報に従って、前記ＶＳＳＢ送信時間ウィンドウ内で前記ＶＳＳＢを送信するように構成される。
【０１７７】
図１７の一例示的な実施例によって示される、参照信号の送信装置のブロック図を参照すると、図１６に示される装置実施例の基で、前記キャリア周波数決定サブモジュール３２１は、
前記基地局によって送信されるリソース構成情報を受信するように構成される、構成情報受信ユニット３２１１であって、前記リソース構成情報は、前記車載機器に、構成されたリソースを使用して前記ＶＳＳＢを送信するように通知するために使用される、構成情報受信ユニット３２１１と、
前記リソース構成情報に従って、前記ターゲットキャリア周波数情報を決定するように構成される、第１キャリア周波数決定ユニット３２１２、または、
事前に構成されたリソース構成情報に従って、前記ターゲットキャリア周波数情報を決定するように構成される、第２キャリア周波数決定ユニット３２１３と、を備えることができる。
【０１７８】
本開示の一装置実施例において、前記有効なリソース決定サブモジュール３２３によって決定される、前記有効な時間ドメインリソース情報は、有効な単位時間ドメインリソースの数、および各前記有効な単位時間ドメインリソースの位置を含み得る。
【０１７９】
図１８の一例示的な実施例によって示される、参照信号の送信装置のブロック図を参照すると、図１６に示される装置実施例の基で、前記有効なリソース決定サブモジュール３２３は、
前記ターゲットキャリア周波数情報に従って、ターゲットサブキャリア間隔を決定するように構成される、サブキャリア間隔決定ユニット３２３１と、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定するように構成される、単位時間ドメインリソース決定ユニット３２３２であって、ここで、前記単位時間ドメインリソースは、１つのＶＳＳＢを搬送するために使用される時間ドメインリソースである、単位時間ドメインリソース決定ユニット３２３２と、
前記アップリンクおよびダウンリンクの時間ドメインリソースの構成情報に従って、現在のＶＳＳＢ送信時間ウィンドウ内の有効な時間ドメインリソースを決定するように構成される、有効な時間ドメインリソース決定ユニット３２３３であって、前記有効な時間ドメインリソースは、基地局によって構成される、アップリンク時間ドメインリソースおよび／またはブランクリソースを含む、有効な時間ドメインリソース決定ユニット３２３３と、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定するように構成される、インデックス情報決定ユニット３２３４と、を備えることができる。
【０１８０】
図１９の一例示的な実施例によって示される、参照信号の送信装置のブロック図を参照すると、図１６に示される装置実施例の基で、前記送信サブモジュール３２４は、
プリセットされた参照情報に従って、ターゲットビームの数を決定するように構成される、ターゲットビーム決定ユニット３２４１であって、前記プリセットされた参照情報は、現在の環境で、前記ＶＳＳＢを送信するために必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しい、ターゲットビーム決定ユニット３２４１と、
前記有効な時間ドメインリソース情報および前記ターゲットビームの数に基づいて、送信されるＶＳＳＢの伝送情報を決定するように構成される、伝送情報決定ユニット３２４２であって、前記送信されるＶＳＳＢの伝送情報は、送信されるＶＳＳＢの実際の数と、各前記送信されるＶＳＳＢが占める有効な単位時間ドメインリソースの位置、および対応するインデックス情報とを含む、伝送情報決定ユニット３２４２と、
前記送信されるＶＳＳＢの伝送情報に従って、前記ＶＳＳＢ送信時間ウィンドウ内で、各前記ＶＳＳＢを送信するように構成される、送信ユニット３２４３と、を備えることができる。
【０１８１】
図２０の一例示的な実施例によって示される、参照信号の送信装置のブロック図を参照すると、図１９に示される装置実施例の基で、前記伝送情報決定ユニット３２４２は、数決定サブユニット３２４２１と、有効な位置決定サブユニット３２４２２と、を備えることができる。
【０１８２】
数決定サブユニット３２４２１は、前記有効な時間ドメインリソース情報および前記ターゲットビームの数に基づいて、前記送信されるＶＳＳＢの実際の数を決定するように構成される。
【０１８３】
本開示において、前記数決定サブユニットは、
前記ターゲットビームの数が、前記有効な単位時間ドメインリソースの数より大きいか等しい場合、前記有効な単位時間ドメインリソースの数を、前記送信されるＶＳＳＢの実際の数として決定するように構成されたり、
前記ターゲットビームの数が、前記有効な単位時間ドメインリソースの数より小さい場合、前記ターゲットビームの数を、前記送信されるＶＳＳＢの実際の数として決定するように構成される。
【０１８４】
有効な位置決定サブユニット３２４２２は、前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定するように構成される。
【０１８５】
図２１の一例示的な実施例によって示される、参照信号の送信装置のブロック図を参照すると、図１９に示される装置実施例の基で、前記送信ユニット３２４３は、ターゲットＶＳＳＢ生成サブユニット３２４３１と、ターゲットＶＳＳＢ送信サブユニット３２４３２と、を備えることができる。
【０１８６】
ターゲットＶＳＳＢ生成サブユニット３２４３１は、前記送信されるＶＳＳＢのインデックス情報を、前記送信されるＶＳＳＢの設定信号にロードして、インデックス情報が運ばれたターゲットＶＳＳＢを生成するように構成される。
【０１８７】
本開示の一装置実施例において、前記ターゲットＶＳＳＢ生成サブユニット３２４３１は、
前記送信されるＶＳＳＢのインデックス情報を、前記対応するＤＭＲＳターゲットシーケンスを介して指示するように構成されたり、
前記送信されるＶＳＳＢのインデックス情報を、プリセットされたＰＳＢＣＨ信号の第１ビットにロードするように構成されたり、
前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードするように構成されることができる。
【０１８８】
ターゲットＶＳＳＢ送信サブユニット３２４３２は、前記ＶＳＳＢ送信時間ウィンドウ内で、複数のビームを介して、それぞれ、前記ターゲットＶＳＳＢを送信するように構成される。
【０１８９】
本開示において、ターゲットＶＳＳＢ送信サブユニット３２４３２は、周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信するように構成されることができる。
【０１９０】
それに対応して、本開示は、さらに、受信端末に配置される、参照信号の受信装置を提供する。図２２の一例示的な実施例によって示される、参照信号の受信装置のブロック図を参照すると、前記装置は、
車載機器によって送信された、ニューラジオ車両対モノ（ＮＲ  Ｖ２Ｘ）システムにおける同期信号ブロック（ＶＳＳＢ）を検出するように構成される、検出モジュール４１と、
検出されたターゲットＶＳＳＢから、ＶＳＳＢインデックス情報を取得するように構成される、インデックス情報取得モジュール４２と、
前記ＶＳＳＢインデックス情報に従って、前記ターゲットＶＳＳＢに対応する時間ドメイン位置を決定するように構成される、位置決定モジュール４３と、
前記時間ドメイン位置に従って、前記車載機器と、時間ドメインの同期を実行するように構成される、同期モジュール４４と、を備えることができる。
【０１９１】
図２３の一例示的な実施例によって示される、別の参照信号の受信装置のブロック図を参照すると、図２２に示される装置実施例の基で、前記検出モジュール４１は、
基地局によって送信されたリソース構成情報を受信するように構成される、構成情報受信サブモジュール４１１であって、前記リソース構成情報は、前記受信端末に、構成されたリソースを使用して前記ＶＳＳＢを受信するように通知するために使用される、構成情報受信サブモジュール４１１と、
前記リソース構成情報に従って、前記ＶＳＳＢを受信するために使用されるターゲットキャリア周波数情報を決定するように構成される、キャリア周波数決定サブモジュール４１２と、
前記ターゲットキャリア周波数情報に従って、検出サブキャリア間隔を決定するように構成される、サブキャリア間隔決定サブモジュール４１３と、
各前記検出サブキャリア間隔を使用して、ターゲットリソースで前記ＶＳＳＢを検出するように構成される、検出サブモジュール４１４と、を備えることができる。
【０１９２】
図２４の一例示的な実施例によって示される、別の参照信号の受信装置のブロック図を参照すると、図２２に示される装置実施例の基で、前記インデックス情報取得モジュール４２は、
前記ターゲットＶＳＳＢを解析して、各信号を取得するように構成される、解析サブモジュール４２１であって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む、解析サブモジュール４２１と、
設定信号から前記ＶＳＳＢインデックス情報を取得するように構成される、インデックス情報取得サブモジュール４２２であって、前記設定信号は、前記ＰＳＢＣＨ信号および／または前記ＤＭＲＳ信号を含む、インデックス情報取得サブモジュール４２２と、を備えることができる。
【０１９３】
図２５の一例示的な実施例によって示される、別の参照信号の受信装置のブロック図を参照すると、図２４に示される装置実施例の基で、前記インデックス情報取得サブモジュール４２２は、
設定ＤＭＲＳシーケンスによって運ばれる情報に従って、前記ＶＳＳＢインデックス情報を取得するように構成される、第１インデックス取得ユニット４２２１と、
設定ＰＳＢＣＨ信号の第１ビットから、前記ＶＳＳＢインデックス情報を解析するように構成される、第２インデックス取得ユニット４２２２と、を備えることができる。
【０１９４】
図２６の一例示的な実施例によって示される、別の参照信号の受信装置のブロック図を参照すると、図２４に示される装置実施例の基で、前記インデックス情報取得サブモジュールは、
設定ＤＭＲＳシーケンスによって運ばれる情報に従って、前記ＶＳＳＢインデックス情報に対応する、ビット値の一部を取得するように構成される、第１ビット値決定ユニット４２２３と、
設定ＰＳＢＣＨ信号の第２ビットから、前記ＶＳＳＢインデックス情報に対応する、残りのビット値を取得するように構成される、第２ビット値決定ユニット４２２４と、
前記ビット値の一部および前記残りのビット値からなる完全なビット値に従って、前記ＶＳＳＢインデックス情報を決定するように構成される、第３インデックス取得ユニット４２２５と、を備える。
【０１９５】
本開示の別の装置実施例において、前記位置決定モジュールは、前記ＶＳＳＢインデックス情報、前記ターゲットキャリア周波数情報、ターゲットサブキャリア間隔に従って、前記ターゲットＶＳＳＢに対応する時間ドメイン位置を決定するように構成されることができ、ここで、前記ターゲットサブキャリア間隔は、前記ターゲットＶＳＳＢが検出されたときに使用される、検出サブキャリア間隔である。
【０１９６】
装置の実施例に対して、方法の実施例に基本的に対応するため、関連する部分は、方法の実施例における説明の一部を参照することができる。上記で説明された装置の実施例は、例示的なものに過ぎず、ここで、上記の分離部材として説明されるユニットは、物理的に分離される場合と、されていない場合があり得、ユニットとして表示される部材は、物理ユニットである場合も、そうでない場合もあり得、１箇所に配置される場合もあれば、複数のネットワークユニットに分散される場合もある。実際の必要に応じて、その中の一部またはすべてのモジュールを選択して、本開示の技術案の目的を実現することができる。当業者は、創造的な努力なしに、理解して実施することができる。
【０１９７】
それに対応して、一態様において、車載機器を提供し、
プロセッサと、
プロセッサ実行可能命令を記憶するために使用されるメモリと、を備え、
ここで、前記プロセッサは、
ニューラジオ車両対モノ（ＮＲ  Ｖ２Ｘ）システムにおける同期信号ブロック（ＶＳＳＢ）の伝送構成情報を決定し、前記伝送構成情報は、前記ＶＳＳＢの送信周期と、前記送信周期におけるＶＳＳＢ送信時間ウィンドウの時間ドメイン位置とを含み、
前記伝送構成情報に応じて、周期的に出現する前記ＶＳＳＢ送信時間ウィンドウ内に、Ｎ（Ｎは１より大きいか等しい整数）個の前記ＶＳＳＢを送信するように構成され、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【０１９８】
一方、端末を提供し、
プロセッサと、
プロセッサ実行可能命令を記憶するために使用されるメモリと、を備え、
ここで、前記プロセッサは、
車載機器によって送信された、ニューラジオ車両対モノ（ＮＲ  Ｖ２Ｘ）システムにおける同期信号ブロック（ＶＳＳＢ）を検出し、
検出されたターゲットＶＳＳＢから、ＶＳＳＢインデックス情報を取得し、
前記ＶＳＳＢインデックス情報に従って、前記ターゲットＶＳＳＢに対応する時間ドメイン位置を決定し、
前記時間ドメイン位置に従って、前記車載機器と、時間ドメインの同期を実行するように構成される。
【０１９９】
図２７に示されるように、図２７は、一例示的な実施例によって示される、車載機器２７００の例示的な構造図である。図２７を参照すると、車載機器２７００は、処理コンポーネント２７２２と、無線送信／受信コンポーネント２７２４と、アンテナコンポーネント２７２６と、無線インターフェース固有の信号処理部分とを備え、処理コンポーネント２７２２は、さらに、１つまたは複数のプロセッサを備えることができる。
【０２００】
処理コンポーネント２７２２のうちの１つのプロセッサは、
ニューラジオ車両対モノ（ＮＲ  Ｖ２Ｘ）システムにおける同期信号ブロック（ＶＳＳＢ）の伝送構成情報を決定し、前記伝送構成情報は、前記ＶＳＳＢの送信周期と、前記送信周期におけるＶＳＳＢ送信時間ウィンドウの時間ドメイン位置とを含み、
前記伝送構成情報に応じて、周期的に出現する前記ＶＳＳＢ送信時間ウィンドウ内に、Ｎ（Ｎは１より大きいか等しい整数）個の前記ＶＳＳＢを送信するように構成されることができ、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む。
【０２０１】
例示的な実施例において、さらに、コンピュータ命令が記憶される、命令を含む非一時的なコンピュータ可読記憶媒体を提供し、前記コンピュータ命令は、車載機器２７００の処理コンポーネント２７２２によって実行されて、図２ないし図１０に記載の参照信号の送信方法を完成することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピー（登録商標）ディスク、および光学データ記憶装置などであり得る。
【０２０２】
図２８は、一例示的な実施例によって示される、端末２８００の例示的な構造図である。例えば、端末２８００は、ユーザ機器であり得、具体的に、携帯電話、コンピュータ、デジタル放送端末、メッセージング機器、ゲームコンソール、タブレット機器、医療機器、フィットネス機器、携帯情報端末であり得、スマート腕時計、スマートグラス、スマートブレスレット、スマートランニングシューズなどのウェアラブル機器であり得る。
【０２０３】
図２８を参照すると、端末２８００は、処理コンポーネント２８０２、メモリ２８０４、電力コンポーネント２８０６、マルチメディアコンポーネント２８０８、オーディオコンポーネント２８１０、入力／出力（Ｉ／Ｏ）インターフェース２８１２、センサコンポーネント２８１４、および通信コンポーネント２８１６のうちの１つまたは複数のコンポーネットを含み得る。
【０２０４】
処理コンポーネント２８０２は、一般的に、ディスプレイ、電話の呼び出し、データ通信、カメラ操作および記録操作に関する操作のような、端末２８００の全般的な操作を制御する。処理コンポーネント２８０２は、前記方法のステップのすべてまたは一部を完了するために、１つまたは複数のプロセッサ２８２０を含んで命令を実行することができる。なお、処理コンポーネント２８０２は、処理コンポーネント２８０２と他のコンポーネントの間の相互作用を容易にするために、１つまたは複数のモジュールを含み得る。例えば、処理コンポーネント２８０２は、マルチメディアコンポーネント２８０８と、処理コンポーネント２８０２との相互作用を容易にするために、マルチメディアモジュールを含み得る。
【０２０５】
メモリ２８０４は、端末２８００における操作をサポートするために、様々なタイプのデータを記憶するように構成される。これらのデータの例には、端末２８００で動作するために使用される任意のアプリケーションまたは方法の命令、連絡先データ、電話帳データ、メッセージ、写真、ビデオ等を含む。メモリ２８０４は、スタティックランダムアクセスメモリ（ＳＲＡＭ）、電気的に消去可能なプログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスクまたは光ディスクなど、あらゆるタイプの揮発性または不揮発性ストレージ機器、またはそれらの組み合わせで実現されることができる。
【０２０６】
電力コンポーネント２８０６は、端末２８００の様々なコンポーネントに電力を提供する。電力コンポーネント２８０６は、電力管理システム、１つまたは複数の電源、および端末２８００の電力の生成、管理および割り当てに関する他のコンポーネントを含み得る。
【０２０７】
マルチメディアコンポーネント２８０８は、前記端末２８００とユーザとの、出力インターフェースを提供するスクリーンを含む。いくつかの実施例において、スクリーンは、液晶ディスプレイ（ＬＣＤ）およびタッチパネル（ＴＰ）を含み得る。スクリーンにタッチパネルを含む場合、スクリーンは、ユーザからの入力信号を受信するための、タッチスクリーンとして実現されることができる。タッチパネルは、１つまたは複数のタッチセンサを備えて、タッチ、スワイプおよびタッチパネルでのジェスチャを検知する。前記タッチセンサは、タッチまたはスワイプ操作の境界を感知するだけでなく、前記タッチまたはスワイプ操作に関連する持続時間、および圧力も検出することができる。いくつかの実施例において、マルチメディアコンポーネント２８０８は、１つのフロントカメラおよび／またはリアカメラを含む。機器２８００が、撮影モードまたはビデオモードなどの動作モードにあるとき、フロントカメラおよび／またはリアカメラは、外部のマルチメディアデータを受信することができる。各フロントカメラおよびリアカメラは、１つの固定光学レンズシステムであり得、または焦点距離および光学ズーム機能を有することであり得る。
【０２０８】
オーディオコンポーネント２８１０は、オーディオ信号を出力および／または入力するように構成される。例えば、オーディオコンポーネント２８１０は、１つのマイクロフォン（ＭＩＣ）を含み、端末２８００が通話モード、録音モードおよび音声認識モードなどの動作モードにあるとき、マイクロフォンは、外部オーディオ信号を受信するように構成される。受信されるオーディオ信号は、メモリ２８０４にさらに記憶され、または通信コンポーネント２８１６を介して送信されることもできる。いくつかの実施例において、オーディオコンポーネント２８１０は、さらに、オーディオ信号を出力するために使用されるスピーカを備える。
【０２０９】
Ｉ／Ｏインターフェース２８１２は、処理コンポーネント２８０２と周辺インターフェースモジュールとの間に、インターフェースを提供し、前記周辺インターフェースモジュールは、キーボード、クリックホイール、ボタンなどであり得る。これらのボタンは、ホームボタン、ボリュームボタン、スタートボタン、ロックボタンを含むが、これらに限定されない。
【０２１０】
センサコンポーネント２８１４は、端末２８００に、各態様の状態の評価を提供するための、１つまたは複数のセンサを備える。例えば、センサコンポーネント２８１４は、機器２８００のオン／オフ状態と、端末２８００のディスプレイやキーパッドなどの、コンポーネントの相対的な位置づけを検出することができ、センサコンポーネント２８１４は、さらに、端末２８００または端末２８００のコンポーネントの位置の変化、ユーザとの装置２８００の接触の有無、端末２８００の向き、または加速／減速、およびび端末２８００の温度の変化も検出することができる。センサコンポーネット２８１４は、物理的接触なしに、近くの物体の存在を検出するために使用されるように構成される、近接センサを含み得る。センサコンポーネント２８１４は、さらに、ＣＭＯＳまたはＣＣＤ画像センサなどの、光センサを含み得、撮像適用のために使用される。いくつかの実施例において、前記センサコンポーネント２８１４は、さらに、加速度センサ、ジャイロスコープセンサ、磁気センサ、圧力センサまたは温度センサを含み得る。
【０２１１】
通信コンポーネント２８１６は、端末２８００と、他の装置との有線または無線通信を容易にするように構成される。端末２８００は、ＷｉＦｉ、２Ｇ、３Ｇ、４Ｇ  ＬＴＥ、５Ｇ  ＮＲ、またはそれらの組み合わせなどの、通信規格に基づく無線ネットワークにアクセスすることができる。１つの例示的な実施例において、通信コンポーネント２８１６は、放送チャンネルを介して、外部放送管理システムからの放送信号、または放送関連情報を受信する。１つの例示的な実施例において、前記通信コンポーネント２８１６は、短距離通信を促進するための近距離通信（ＮＦＣ）モジュールをさらに備える。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術に基づいて、実現されることができる。
【０２１２】
例示的な実施例において、端末２８００は、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、または他の電子素子によって実現されて、前記方法を実行するために使用されることができる。
【０２１３】
例示的な実施例において、さらに、命令を含むメモリ２８０４などの、命令を含む非一時的なコンピュータ可読記憶媒体を提供し、前記命令は、端末２８００のプロセッサ２８２０によって実行されて、上記の図１１ないし図１４に記載の、任意の参照信号の受信方法を完成することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピー（登録商標）ディスク、および光学データ記憶装置などであり得る。
【０２１４】
当業者は、明細書を考慮し、本明細書に開示される発明を実施した後、本開示の他の実施形態を容易に考えられ得る。本願は、本開示のあらゆる変形、応用または適応性変化を網羅することを意図し、これらの変形、応用または適応性変化は、本開示の一般的な原理に準拠し、本開示に開示されない本技術分野における公知知識または従来の技術的手段を含む。明細書および実施例は、例示としてのみ考慮され、本開示の真の範囲および思想は、添付の特許請求の範囲によって示される。
【０２１５】
本開示は、上記に既に説明し、図面で示される正確な構造に限定されなく、且つ、その範囲から逸脱することなく様々な修正、および変更を行うことができることを理解されたい。本開示の範囲は、添付の特許請求の範囲によってのみ制限される。
【図１】
2021533684.tif 000006
【図２】
2021533684.tif 000007
【図３】
2021533684.tif 000008
【図４】
2021533684.tif 000009
【図５】
2021533684.tif 000010
【図６−１】
2021533684.tif 000011
【図６−２】
2021533684.tif 000012
【図７】
2021533684.tif 000013
【図８−１】
2021533684.tif 000014
【図８−２】
2021533684.tif 000015
【図９】
2021533684.tif 000016
【図１０】
2021533684.tif 000017
【図１１】
2021533684.tif 000018
【図１２】
2021533684.tif 000019
【図１３】
2021533684.tif 000020
【図１４】
2021533684.tif 000021
【図１５】
2021533684.tif 000022
【図１６】
2021533684.tif 000023
【図１７】
2021533684.tif 000024
【図１８】
2021533684.tif 000025
【図１９】
2021533684.tif 000026
【図２０】
2021533684.tif 000027
【図２１】
2021533684.tif 000028
【図２２】
2021533684.tif 000029
【図２３】
2021533684.tif 000030
【図２４】
2021533684.tif 000031
【図２５】
2021533684.tif 000032
【図２６】
2021533684.tif 000033
【図２７】
2021533684.tif 000034
【図２８】
2021533684.tif 000035
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
参照信号の送信方法であって、
ニューラジオ車両対モノ（ＮＲ  Ｖ２Ｘ）システムにおける同期信号ブロック（ＶＳＳＢ）の伝送構成情報を決定することであって、前記伝送構成情報は、前記ＶＳＳＢの送信周期と、前記送信周期におけるＶＳＳＢ送信時間ウィンドウの時間ドメイン位置とを含むことと、
前記伝送構成情報に応じて、周期的に現れる前記ＶＳＳＢ送信時間ウィンドウ内で、Ｎ（Ｎは１より大きいか等しい整数）個の前記ＶＳＳＢを送信することと、を含み、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記参照信号の送信方法。
【請求項２】
前記周期的に現れる前記ＶＳＳＢ送信時間ウィンドウ内で、Ｎ個の前記ＶＳＳＢを送信することは、
前記ＶＳＳＢを送信するために使用されるターゲットキャリア周波数情報を決定することと、
前記ターゲットキャリア周波数情報に従って、１つのＶＳＳＢ送信時間ウィンドウ内の、対応するＶＳＳＢの送信可能な時間ドメインリソースの最大数を決定することと、
前記ＶＳＳＢの送信可能な時間ドメインリソースの最大数、および基地局によって発行されるアップリンクおよびダウンリンクの時間ドメインリソースの構成情報に従って、前記ＶＳＳＢ送信時間ウィンドウ内の有効な時間ドメインリソース情報を決定することと、
前記有効な時間ドメインリソース情報に従って、前記ＶＳＳＢ送信時間ウィンドウ内で前記ＶＳＳＢを送信することと、を含むことを特徴とする、
請求項１に記載の参照信号の送信方法。
【請求項３】
前記ＶＳＳＢを送信するために使用されるターゲットキャリア周波数情報を決定することは、
前記基地局によって送信されるリソース構成情報を受信することであって、前記リソース構成情報は、前記車載機器に、構成されたリソースを使用して前記ＶＳＳＢを送信するように通知するために使用されることと、
前記リソース構成情報に従って、前記ターゲットキャリア周波数情報を決定すること、または、
事前に構成されたリソース構成情報に従って、前記ターゲットキャリア周波数情報を決定することと、を含むことを特徴とする、
請求項２に記載の参照信号の送信方法。
【請求項４】
前記ターゲットキャリア周波数情報に従って、１つのＶＳＳＢ送信時間ウィンドウ内の、対応するＶＳＳＢの送信可能な時間ドメインリソースの最大数を決定することは、
前記ターゲットキャリア周波数情報に従って、プリセットリストを照会して、前記ターゲットキャリア周波数に対応する、ＶＳＳＢの送信可能な時間ドメインリソースの最大数を決定することを含み、前記プリセットリストは、キャリア周波数帯域情報と、１つの送信時間ウィンドウ内で伝送される、ＶＳＳＢの送信可能な時間ドメインリソースの最大数との対応関係を含むことを特徴とする、
請求項２に記載の参照信号の送信方法。
【請求項５】
前記有効な時間ドメインリソース情報は、有効な単位時間ドメインリソースの数、および各前記有効な単位時間ドメインリソースの位置を含み、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定することは、
前記ターゲットキャリア周波数情報に従って、ターゲットサブキャリア間隔を決定することと、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定することであって、前記単位時間ドメインリソースは、１つのＶＳＳＢを搬送するために使用される時間ドメインリソースであることと、
前記アップリンクおよびダウンリンクの時間ドメインリソースの構成情報に従って、現在のＶＳＳＢ送信時間ウィンドウ内の有効な時間ドメインリソースを決定することであって、前記有効な時間ドメインリソースは、基地局によって構成される、アップリンク時間ドメインリソースおよび／またはブランクリソースを含むことと、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定することと、を含むことを特徴とする、
請求項２に記載の参照信号の送信方法。
【請求項６】
前記有効な時間ドメインリソース情報に従って、前記ＶＳＳＢ送信時間ウィンドウ内で前記ＶＳＳＢを送信することは、
プリセットされた参照情報に従って、ターゲットビームの数を決定することであって、前記プリセットされた参照情報は、現在の環境で、前記ＶＳＳＢを送信するのに必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しいことと、
前記有効な時間ドメインリソース情報および前記ターゲットビームの数に基づいて、送信されるＶＳＳＢの伝送情報を決定することであって、前記送信されるＶＳＳＢの伝送情報は、送信されるＶＳＳＢの実際の数、各前記送信されるＶＳＳＢが占める有効な単位時間ドメインリソースの位置および対応するインデックス情報を含むことと、
前記送信されるＶＳＳＢの伝送情報に従って、前記ＶＳＳＢ送信時間ウィンドウ内で、各前記ＶＳＳＢを送信することと、を含むことを特徴とする、
請求項５に記載の参照信号の送信方法。
【請求項７】
前記有効な時間ドメインリソース情報および前記ターゲットビームの数に基づいて、送信されるＶＳＳＢの伝送情報を決定することは、
前記有効な時間ドメインリソース情報および前記ターゲットビームの数に基づいて、前記送信されるＶＳＳＢの実際の数を決定することと、
前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定することと、を含むことを特徴とする、
請求項６に記載の参照信号の送信方法。
【請求項８】
前記ターゲットビームの数が、前記有効な単位時間ドメインリソースの数より大きいか等しい場合、前記有効な単位時間ドメインリソースの数を、前記送信されるＶＳＳＢの実際の数として決定すること、
前記ターゲットビームの数が、前記有効な単位時間ドメインリソースの数より小さい場合、前記ターゲットビームの数を、前記送信されるＶＳＳＢの実際の数として決定すること、
のいずれか１つの方式を使用して、前記有効な時間ドメインリソース情報、および前記ターゲットビームの数に基づいて、前記送信されるＶＳＳＢの実際の数を決定することを特徴とする、
請求項７に記載の参照信号の送信方法。
【請求項９】
前記送信されるＶＳＳＢの伝送情報に従って、前記ＶＳＳＢ送信時間ウィンドウ内で、各前記ＶＳＳＢを送信することは、
前記送信されるＶＳＳＢのインデックス情報を、前記送信されるＶＳＳＢの設定信号にロードして、インデックス情報が運ばれたターゲットＶＳＳＢを生成することと、
前記ＶＳＳＢ送信時間ウィンドウ内で、複数のビームを介して、それぞれ、前記ターゲットＶＳＳＢを送信することと、を含むことを特徴とする、
請求項７に記載の参照信号の送信方法。
【請求項１０】
前記送信されるＶＳＳＢのインデックス情報を、前記対応するＤＭＲＳターゲットシーケンスを介して指示すること、
前記送信されるＶＳＳＢのインデックス情報を、プリセットされたＰＳＢＣＨ信号の第１ビットにロードすること、
前記送信されるＶＳＳＢのインデックス情報の部分的なビット値を、対応するＤＭＲＳターゲットシーケンスを介して指示し、残りのビット値を、前記プリセットされたＰＳＢＣＨ信号の第２ビットにロードすること、
のいずれか１つの方式を使用して、前記送信されるＶＳＳＢのインデックス情報を、前記送信されるＶＳＳＢの設定信号にロードすることを特徴とする、
請求項９に記載の参照信号の送信方法。
【請求項１１】
前記周期的に現れる前記ＶＳＳＢ送信時間ウィンドウ内で、Ｎ個の前記ＶＳＳＢを送信することは、
周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信することを含むことを特徴とする、
請求項１に記載の参照信号の送信方法。
【請求項１２】
参照信号の受信方法であって、
車載機器によって送信された、ニューラジオ車両対モノ（ＮＲ  Ｖ２Ｘ）システムにおける同期信号ブロック（ＶＳＳＢ）を検出することと、
検出されたターゲットＶＳＳＢから、ＶＳＳＢインデックス情報を取得することと、
前記ＶＳＳＢインデックス情報に従って、前記ターゲットＶＳＳＢに対応する時間ドメイン位置を決定することと、
前記時間ドメイン位置に従って、前記車載機器と、時間ドメインの同期を実行することと、を含むことを特徴とする、前記参照信号の受信方法。
【請求項１３】
前記車載機器によって送信される前記ＶＳＳＢを検出することは、
基地局によって送信されたリソース構成情報を受信することであって、前記リソース構成情報は、前記受信端末に、構成されたリソースを使用して前記ＶＳＳＢを受信するように通知するために使用されることと、
前記リソース構成情報に従って、前記ＶＳＳＢを受信するために使用されるターゲットキャリア周波数情報を決定することと、
前記ターゲットキャリア周波数情報に従って、検出サブキャリア間隔を決定することと、
各前記検出サブキャリア間隔を使用して、ターゲットリソースで前記ＶＳＳＢを検出することと、を含むことを特徴とする、
請求項１２に記載の参照信号の受信方法。
【請求項１４】
前記検出されたターゲットＶＳＳＢから、ＶＳＳＢインデックス情報を取得することは、
前記ターゲットＶＳＳＢを解析して、各信号を取得することであって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことと、
設定信号から前記ＶＳＳＢインデックス情報を取得することであって、前記設定信号は、前記ＰＳＢＣＨ信号および／または前記ＤＭＲＳ信号を含むことと、を含むことを特徴とする、
請求項１２に記載の参照信号の受信方法。
【請求項１５】
前記設定信号から前記ＶＳＳＢインデックス情報を取得することは、
設定ＤＭＲＳシーケンスによって運ばれる情報に従って、前記ＶＳＳＢインデックス情報を取得すること、
設定ＰＳＢＣＨ信号の第１ビットから、前記ＶＳＳＢインデックス情報を解析すること、のいずれか１つを含むことを特徴とする、
請求項１４に記載の参照信号の受信方法。
【請求項１６】
前記設定信号から前記ＶＳＳＢインデックス情報を取得することは、
設定ＤＭＲＳシーケンスによって運ばれる情報に従って、前記ＶＳＳＢインデックス情報に対応する、部分的なビット値を取得することと、
設定ＰＳＢＣＨ信号の第２ビットから、前記ＶＳＳＢインデックス情報に対応する、残りのビット値を取得することと、
前記部分的なビット値および前記残りのビット値からなる完全なビット値に従って、前記ＶＳＳＢインデックス情報を決定することと、を含むことを特徴とする、
請求項１４に記載の参照信号の受信方法。
【請求項１７】
前記ＶＳＳＢインデックス情報に従って、前記ＶＳＳＢに対応する時間ドメイン位置を決定することは、
前記ＶＳＳＢインデックス情報、前記ターゲットキャリア周波数情報、ターゲットサブキャリア間隔に従って、前記ターゲットＶＳＳＢに対応する時間ドメイン位置を決定することを含み、ここで、前記ターゲットサブキャリア間隔は、前記ターゲットＶＳＳＢが検出されたときに使用される、検出サブキャリア間隔であることを特徴とする、
請求項１２に記載の参照信号の受信方法。
【請求項１８】
車載機器であって、
プロセッサと、
プロセッサ実行可能命令を記憶するために使用されるメモリと、を備え、
前記プロセッサは、
ニューラジオ車両対モノ（ＮＲ  Ｖ２Ｘ）システムにおける同期信号ブロック（ＶＳＳＢ）の伝送構成情報を決定し、前記伝送構成情報は、前記ＶＳＳＢの送信周期と、前記送信周期におけるＶＳＳＢ送信時間ウィンドウの時間ドメイン位置と、を含み、
前記伝送構成情報に応じて、周期的に現れる前記ＶＳＳＢ送信時間ウィンドウ内で、Ｎ（Ｎは１より大きいか等しい整数）個の前記ＶＳＳＢを送信するように構成され、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記車載機器。
【請求項１９】
端末であって、
プロセッサと、
プロセッサ実行可能命令を記憶するために使用されるメモリと、を備え、
前記プロセッサは、
車載機器によって送信された、ニューラジオ車両対モノ（ＮＲ  Ｖ２Ｘ）システムにおける同期信号ブロック（ＶＳＳＢ）を検出し、
検出されたターゲットＶＳＳＢから、ＶＳＳＢインデックス情報を取得し、
前記ＶＳＳＢインデックス情報に従って、前記ターゲットＶＳＳＢに対応する時間ドメイン位置を決定し、
前記時間ドメイン位置に従って、前記車載機器と、時間ドメインの同期を実行するように構成されることを特徴とする、前記端末。
【手続補正２】
【補正対象書類名】明細書
【補正対象項目名】００４４
【補正方法】変更
【補正の内容】
【００４４】
本開示の実施例の第８態様によれば、端末を提供し、
プロセッサと、
プロセッサ実行可能命令を記憶するために使用されるメモリと、を備え、
ここで、前記プロセッサは、
車載機器によって送信された、ニューラジオ車両対モノ（ＮＲ  Ｖ２Ｘ）システムにおける同期信号ブロック（ＶＳＳＢ）を検出し、
検出されたターゲットＶＳＳＢから、ＶＳＳＢインデックス情報を取得し、
前記ＶＳＳＢインデックス情報に従って、前記ターゲットＶＳＳＢに対応する時間ドメイン位置を決定し、
前記時間ドメイン位置に従って、前記車載機器と、時間ドメインの同期を実行するように構成される。
例えば、本願は以下の項目を提供する。
（項目１）
参照信号の送信方法であって、
ニューラジオ車両対モノ（ＮＲ  Ｖ２Ｘ）システムにおける同期信号ブロック（ＶＳＳＢ）の伝送構成情報を決定することであって、前記伝送構成情報は、前記ＶＳＳＢの送信周期と、前記送信周期におけるＶＳＳＢ送信時間ウィンドウの時間ドメイン位置とを含むことと、
前記伝送構成情報に応じて、周期的に現れる前記ＶＳＳＢ送信時間ウィンドウ内で、Ｎ（Ｎは１より大きいか等しい整数）個の前記ＶＳＳＢを送信することと、を含み、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記参照信号の送信方法。
（項目２）
前記周期的に現れる前記ＶＳＳＢ送信時間ウィンドウ内で、Ｎ個の前記ＶＳＳＢを送信することは、
前記ＶＳＳＢを送信するために使用されるターゲットキャリア周波数情報を決定することと、
前記ターゲットキャリア周波数情報に従って、１つのＶＳＳＢ送信時間ウィンドウ内の、対応するＶＳＳＢの送信可能な時間ドメインリソースの最大数を決定することと、
前記ＶＳＳＢの送信可能な時間ドメインリソースの最大数、および基地局によって発行されるアップリンクおよびダウンリンクの時間ドメインリソースの構成情報に従って、前記ＶＳＳＢ送信時間ウィンドウ内の有効な時間ドメインリソース情報を決定することと、
前記有効な時間ドメインリソース情報に従って、前記ＶＳＳＢ送信時間ウィンドウ内で前記ＶＳＳＢを送信することと、を含むことを特徴とする、
項目１に記載の参照信号の送信方法。
（項目３）
前記ＶＳＳＢを送信するために使用されるターゲットキャリア周波数情報を決定することは、
前記基地局によって送信されるリソース構成情報を受信することであって、前記リソース構成情報は、前記車載機器に、構成されたリソースを使用して前記ＶＳＳＢを送信するように通知するために使用されることと、
前記リソース構成情報に従って、前記ターゲットキャリア周波数情報を決定すること、または、
事前に構成されたリソース構成情報に従って、前記ターゲットキャリア周波数情報を決定することと、を含むことを特徴とする、
項目２に記載の参照信号の送信方法。
（項目４）
前記ターゲットキャリア周波数情報に従って、１つのＶＳＳＢ送信時間ウィンドウ内の、対応するＶＳＳＢの送信可能な時間ドメインリソースの最大数を決定することは、
前記ターゲットキャリア周波数情報に従って、プリセットリストを照会して、前記ターゲットキャリア周波数に対応する、ＶＳＳＢの送信可能な時間ドメインリソースの最大数を決定することを含み、前記プリセットリストは、キャリア周波数帯域情報と、１つの送信時間ウィンドウ内で伝送される、ＶＳＳＢの送信可能な時間ドメインリソースの最大数との対応関係を含むことを特徴とする、
項目２に記載の参照信号の送信方法。
（項目５）
前記有効な時間ドメインリソース情報は、有効な単位時間ドメインリソースの数、および各前記有効な単位時間ドメインリソースの位置を含み、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定することは、
前記ターゲットキャリア周波数情報に従って、ターゲットサブキャリア間隔を決定することと、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定することであって、前記単位時間ドメインリソースは、１つのＶＳＳＢを搬送するために使用される時間ドメインリソースであることと、
前記アップリンクおよびダウンリンクの時間ドメインリソースの構成情報に従って、現在のＶＳＳＢ送信時間ウィンドウ内の有効な時間ドメインリソースを決定することであって、前記有効な時間ドメインリソースは、基地局によって構成される、アップリンク時間ドメインリソースおよび／またはブランクリソースを含むことと、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定することと、を含むことを特徴とする、
項目２に記載の参照信号の送信方法。
（項目６）
前記有効な時間ドメインリソース情報に従って、前記ＶＳＳＢ送信時間ウィンドウ内で前記ＶＳＳＢを送信することは、
プリセットされた参照情報に従って、ターゲットビームの数を決定することであって、前記プリセットされた参照情報は、現在の環境で、前記ＶＳＳＢを送信するのに必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しいことと、
前記有効な時間ドメインリソース情報および前記ターゲットビームの数に基づいて、送信されるＶＳＳＢの伝送情報を決定することであって、前記送信されるＶＳＳＢの伝送情報は、送信されるＶＳＳＢの実際の数、各前記送信されるＶＳＳＢが占める有効な単位時間ドメインリソースの位置および対応するインデックス情報を含むことと、
前記送信されるＶＳＳＢの伝送情報に従って、前記ＶＳＳＢ送信時間ウィンドウ内で、各前記ＶＳＳＢを送信することと、を含むことを特徴とする、
項目５に記載の参照信号の送信方法。
（項目７）
前記有効な時間ドメインリソース情報および前記ターゲットビームの数に基づいて、送信されるＶＳＳＢの伝送情報を決定することは、
前記有効な時間ドメインリソース情報および前記ターゲットビームの数に基づいて、前記送信されるＶＳＳＢの実際の数を決定することと、
前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定することと、を含むことを特徴とする、
項目６に記載の参照信号の送信方法。
（項目８）
前記ターゲットビームの数が、前記有効な単位時間ドメインリソースの数より大きいか等しい場合、前記有効な単位時間ドメインリソースの数を、前記送信されるＶＳＳＢの実際の数として決定すること、
前記ターゲットビームの数が、前記有効な単位時間ドメインリソースの数より小さい場合、前記ターゲットビームの数を、前記送信されるＶＳＳＢの実際の数として決定すること、
のいずれか１つの方式を使用して、前記有効な時間ドメインリソース情報、および前記ターゲットビームの数に基づいて、前記送信されるＶＳＳＢの実際の数を決定することを特徴とする、
項目７に記載の参照信号の送信方法。
（項目９）
前記送信されるＶＳＳＢの伝送情報に従って、前記ＶＳＳＢ送信時間ウィンドウ内で、各前記ＶＳＳＢを送信することは、
前記送信されるＶＳＳＢのインデックス情報を、前記送信されるＶＳＳＢの設定信号にロードして、インデックス情報が運ばれたターゲットＶＳＳＢを生成することと、
前記ＶＳＳＢ送信時間ウィンドウ内で、複数のビームを介して、それぞれ、前記ターゲットＶＳＳＢを送信することと、を含むことを特徴とする、
項目７に記載の参照信号の送信方法。
（項目１０）
前記送信されるＶＳＳＢのインデックス情報を、前記対応するＤＭＲＳターゲットシーケンスを介して指示すること、
前記送信されるＶＳＳＢのインデックス情報を、プリセットされたＰＳＢＣＨ信号の第１ビットにロードすること、
前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードすること、
のいずれか１つの方式を使用して、前記送信されるＶＳＳＢのインデックス情報を、前記送信されるＶＳＳＢの設定信号にロードすることを特徴とする、
項目９に記載の参照信号の送信方法。
（項目１１）
前記周期的に現れる前記ＶＳＳＢ送信時間ウィンドウ内で、Ｎ個の前記ＶＳＳＢを送信することは、
周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信することを含むことを特徴とする、
項目１に記載の参照信号の送信方法。
（項目１２）
参照信号の受信方法であって、
車載機器によって送信された、ニューラジオ車両対モノ（ＮＲ  Ｖ２Ｘ）システムにおける同期信号ブロック（ＶＳＳＢ）を検出することと、
検出されたターゲットＶＳＳＢから、ＶＳＳＢインデックス情報を取得することと、
前記ＶＳＳＢインデックス情報に従って、前記ターゲットＶＳＳＢに対応する時間ドメイン位置を決定することと、
前記時間ドメイン位置に従って、前記車載機器と、時間ドメインの同期を実行することと、を含むことを特徴とする、前記参照信号の受信方法。
（項目１３）
前記車載機器によって送信される前記ＶＳＳＢを検出することは、
基地局によって送信されたリソース構成情報を受信することであって、前記リソース構成情報は、前記受信端末に、構成されたリソースを使用して前記ＶＳＳＢを受信するように通知するために使用されることと、
前記リソース構成情報に従って、前記ＶＳＳＢを受信するために使用されるターゲットキャリア周波数情報を決定することと、
前記ターゲットキャリア周波数情報に従って、検出サブキャリア間隔を決定することと、
各前記検出サブキャリア間隔を使用して、ターゲットリソースで前記ＶＳＳＢを検出することと、を含むことを特徴とする、
項目１２に記載の参照信号の受信方法。
（項目１４）
前記検出されたターゲットＶＳＳＢから、ＶＳＳＢインデックス情報を取得することは、
前記ターゲットＶＳＳＢを解析して、各信号を取得することであって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことと、
設定信号から前記ＶＳＳＢインデックス情報を取得することであって、前記設定信号は、前記ＰＳＢＣＨ信号および／または前記ＤＭＲＳ信号を含むことと、を含むことを特徴とする、
項目１２に記載の参照信号の受信方法。
（項目１５）
前記設定信号から前記ＶＳＳＢインデックス情報を取得することは、
設定ＤＭＲＳシーケンスによって運ばれる情報に従って、前記ＶＳＳＢインデックス情報を取得すること、
設定ＰＳＢＣＨ信号の第１ビットから、前記ＶＳＳＢインデックス情報を解析すること、のいずれか１つを含むことを特徴とする、
項目１４に記載の参照信号の受信方法。
（項目１６）
前記設定信号から前記ＶＳＳＢインデックス情報を取得することは、
設定ＤＭＲＳシーケンスによって運ばれる情報に従って、前記ＶＳＳＢインデックス情報に対応する、ビット値の一部を取得することと、
設定ＰＳＢＣＨ信号の第２ビットから、前記ＶＳＳＢインデックス情報に対応する、残りのビット値を取得することと、
前記ビット値の一部および前記残りのビット値からなる完全なビット値に従って、前記ＶＳＳＢインデックス情報を決定することと、を含むことを特徴とする、
項目１４に記載の参照信号の受信方法。
（項目１７）
前記ＶＳＳＢインデックス情報に従って、前記ＶＳＳＢに対応する時間ドメイン位置を決定することは、
前記ＶＳＳＢインデックス情報、前記ターゲットキャリア周波数情報、ターゲットサブキャリア間隔に従って、前記ターゲットＶＳＳＢに対応する時間ドメイン位置を決定することを含み、ここで、前記ターゲットサブキャリア間隔は、前記ターゲットＶＳＳＢが検出されたときに使用される、検出サブキャリア間隔であることを特徴とする、
項目１２に記載の参照信号の受信方法。
（項目１８）
参照信号の送信装置であって、
ニューラジオ車両対モノ（ＮＲ  Ｖ２Ｘ）システムにおける同期信号ブロック（ＶＳＳＢ）の伝送構成情報を決定するように構成される、構成情報決定モジュールであって、前記伝送構成情報は、前記ＶＳＳＢの送信周期と、前記送信周期におけるＶＳＳＢ送信時間ウィンドウの時間ドメイン位置とを含む、構成情報決定モジュールと、
前記伝送構成情報に応じて、周期的に現れる前記ＶＳＳＢ送信時間ウィンドウ内で、Ｎ（Ｎは１より大きいか等しい整数）個の前記ＶＳＳＢを送信するように構成される、送信モジュールと、を備え、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記参照信号の送信装置。
（項目１９）
前記送信モジュールは、
前記ＶＳＳＢを送信するために使用されるターゲットキャリア周波数情報を決定するように構成される、キャリア周波数決定サブモジュールと、
前記ターゲットキャリア周波数情報に従って、１つのＶＳＳＢ送信時間ウィンドウ内の、対応するＶＳＳＢの送信可能な時間ドメインリソースの最大数を決定するように構成される、リソース数決定サブモジュールと、
前記ＶＳＳＢの送信可能な時間ドメインリソースの最大数、および基地局によって発行される、アップリンクおよびダウンリンクの時間ドメインリソースの構成情報に従って、前記ＶＳＳＢ送信時間ウィンドウ内の有効な時間ドメインリソース情報を決定するように構成される、有効なリソース決定サブモジュールと、
前記有効な時間ドメインリソース情報に従って、前記ＶＳＳＢ送信時間ウィンドウ内で前記ＶＳＳＢを送信するように構成される、送信サブモジュールと、を備えることを特徴とする、
項目１８に記載の参照信号の送信装置。
（項目２０）
前記キャリア周波数決定サブモジュールは、
前記基地局によって送信されるリソース構成情報を受信するように構成される、構成情報受信ユニットであって、前記リソース構成情報は、前記車載機器に、構成されたリソースを使用して前記ＶＳＳＢを送信するように通知するために使用される、構成情報受信ユニットと、
前記リソース構成情報に従って、前記ターゲットキャリア周波数情報を決定するように構成される、第１キャリア周波数決定ユニット、または、
事前に構成されたリソース構成情報に従って、前記ターゲットキャリア周波数情報を決定するように構成される、第２キャリア周波数決定ユニットと、を備えることを特徴とする、
項目１９に記載の参照信号の送信装置。
（項目２１）
前記リソース数決定サブモジュールは、前記ターゲットキャリア周波数情報に従って、プリセットリストを照会して、前記ターゲットキャリア周波数に対応する、ＶＳＳＢの送信可能な時間ドメインリソースの最大数を決定するように構成され、前記プリセットリストは、キャリア周波数帯域情報と、１つの送信時間ウィンドウ内で伝送される、ＶＳＳＢの送信可能な時間ドメインリソースの最大数との対応関係を含むことを特徴とする、
項目１９に記載の参照信号の送信装置。
（項目２２）
前記有効な時間ドメインリソース情報は、有効な単位時間ドメインリソースの数、および各前記有効な単位時間ドメインリソースの位置を含み、
前記有効なリソース決定サブモジュールは、
前記ターゲットキャリア周波数情報に従って、ターゲットサブキャリア間隔を決定するように構成される、サブキャリア間隔決定ユニットと、
前記ＶＳＳＢの送信可能な時間ドメインリソースの最大数、および前記ターゲットサブキャリア間隔に従って、１つの前記ＶＳＳＢ送信時間ウィンドウ内の各単位時間ドメインリソースの位置およびインデックス情報を決定するように構成される、単位時間ドメインリソース決定ユニットであって、ここで、前記単位時間ドメインリソースは、１つのＶＳＳＢを搬送するために使用される時間ドメインリソースである、単位時間ドメインリソース決定ユニットと、
前記アップリンクおよびダウンリンクの時間ドメインリソースの構成情報に従って、現在のＶＳＳＢ送信時間ウィンドウ内の有効な時間ドメインリソースを決定するように構成される、有効な時間ドメインリソース決定ユニットであって、前記有効な時間ドメインリソースは、基地局によって構成される、アップリンク時間ドメインリソースおよび／またはブランクリソースを含む、有効な時間ドメインリソース決定ユニットと、
前記有効な時間ドメインリソースと、前記１つのＶＳＳＢ送信時間ウィンドウ内の各単位時間ドメインリソースの位置およびインデックス情報に従って、前記有効な単位時間ドメインリソースの数と、各前記有効な単位時間ドメインリソースの位置およびインデックス情報を決定するように構成される、インデックス情報決定ユニットと、を備えることを特徴とする、
項目１９に記載の参照信号の送信装置。
（項目２３）
前記送信サブモジュールは、
プリセットされた参照情報に従って、ターゲットビームの数を決定するように構成される、ターゲットビーム決定ユニットであって、前記プリセットされた参照情報は、現在の環境で、前記ＶＳＳＢを送信するために必要なビームの数を決定するために使用され、ここで、１つの前記ビームは、１つのプリセットされた方向で、少なくとも１つの前記ＶＳＳＢを送信するために使用され、前記ターゲットビームの数は、前記ＶＳＳＢの送信可能な時間ドメインリソースの最大数より小さいか等しい、ターゲットビーム決定ユニットと、
前記有効な時間ドメインリソース情報および前記ターゲットビームの数に基づいて、送信されるＶＳＳＢの伝送情報を決定するように構成される、伝送情報決定ユニットであって、前記送信されるＶＳＳＢの伝送情報は、送信されるＶＳＳＢの実際の数、各前記送信されるＶＳＳＢが占める有効な単位時間ドメインリソースの位置、および対応するインデックス情報を含む、伝送情報決定ユニットと、
前記送信されるＶＳＳＢの伝送情報に従って、前記ＶＳＳＢ送信時間ウィンドウ内で、各前記ＶＳＳＢを送信するように構成される、送信ユニットと、を備えることを特徴とする、
項目２２に記載の参照信号の送信装置。
（項目２４）
前記伝送情報決定ユニットは、
前記有効な時間ドメインリソース情報および前記ターゲットビームの数に基づいて、前記送信されるＶＳＳＢの実際の数を決定するように構成される、数決定サブユニットと、
前記送信されるＶＳＳＢの実際の数と、各前記有効な単位時間ドメインリソースの位置およびインデックス情報に従って、各前記送信されるＶＳＳＢが占める有効な単位時間ドメインリソースの位置、および対応するインデックス情報を決定するように構成される、有効な位置決定サブユニットと、を備えることを特徴とする、
項目２３に記載の参照信号の送信装置。
（項目２５）
前記数決定サブユニットは、
前記ターゲットビームの数が、前記有効な単位時間ドメインリソースの数より大きいか等しい場合、前記有効な単位時間ドメインリソースの数を、前記送信されるＶＳＳＢの実際の数として決定するように構成されたり、
前記ターゲットビームの数が、前記有効な単位時間ドメインリソースの数より小さい場合、前記ターゲットビームの数を、前記送信されるＶＳＳＢの実際の数として決定するように構成されることを特徴とする、
項目２４に記載の参照信号の送信装置。
（項目２６）
前記送信ユニットは、
前記送信されるＶＳＳＢのインデックス情報を、前記送信されるＶＳＳＢの設定信号にロードして、インデックス情報が運ばれたターゲットＶＳＳＢを生成するように構成される、ターゲットＶＳＳＢ生成サブユニットと、
前記ＶＳＳＢ送信時間ウィンドウ内で、複数のビームを介して、それぞれ、前記ターゲットＶＳＳＢを送信するように構成される、ターゲットＶＳＳＢ送信サブユニットと、を備えることを特徴とする、
項目２４に記載の参照信号の送信装置。
（項目２７）
前記ターゲットＶＳＳＢ生成サブユニットは、
前記送信されるＶＳＳＢのインデックス情報を、前記対応するＤＭＲＳターゲットシーケンスを介して指示するように構成されたり、
前記送信されるＶＳＳＢのインデックス情報を、プリセットされたＰＳＢＣＨ信号の第１ビットにロードするように構成されたり、
前記送信されるＶＳＳＢのインデックス情報のビット値の一部を、対応するＤＭＲＳターゲットシーケンスを介して指示し、残りのビット値を、前記プリセットされたＰＳＢＣＨ信号の第２ビットにロードするように構成されることを特徴とする、
項目２６に記載の参照信号の送信装置。
（項目２８）
前記ターゲットＶＳＳＢ送信サブユニットは、周波数分割多重（ＦＤＭ）および／または時分割多重（ＴＤＭ）の方式を使用して、各前記ＶＳＳＢ中の前記ＰＳＢＣＨ信号および前記ＤＭＲＳ信号を送信するように構成されることを特徴とする、
項目２６に記載の参照信号の送信装置。
（項目２９）
参照信号の受信装置であって、
車載機器によって送信された、ニューラジオ車両対モノ（ＮＲ  Ｖ２Ｘ）システムにおける同期信号ブロック（ＶＳＳＢ）を検出するように構成される、検出モジュールと、
検出されたターゲットＶＳＳＢから、ＶＳＳＢインデックス情報を取得するように構成される、インデックス情報取得モジュールと、
前記ＶＳＳＢインデックス情報に従って、前記ターゲットＶＳＳＢに対応する時間ドメイン位置を決定するように構成される、位置決定モジュールと、
前記時間ドメイン位置に従って、前記車載機器と、時間ドメインの同期を実行するように構成される、同期モジュールと、を備えることを特徴とする、前記参照信号の受信装置。
（項目３０）
前記検出モジュールは、
基地局によって送信されたリソース構成情報を受信するように構成される、構成情報受信サブモジュールであって、前記リソース構成情報は、前記受信端末に、構成されたリソースを使用して前記ＶＳＳＢを受信するように通知するために使用される、構成情報受信サブモジュールと、
前記リソース構成情報に従って、前記ＶＳＳＢを受信するために使用されるターゲットキャリア周波数情報を決定するように構成される、キャリア周波数決定サブモジュールと、
前記ターゲットキャリア周波数情報に従って、検出サブキャリア間隔を決定するように構成される、サブキャリア間隔決定サブモジュールと、
各前記検出サブキャリア間隔を使用して、ターゲットリソースで前記ＶＳＳＢを検出するように構成される、検出サブモジュールと、を備えることを特徴とする、
項目２９に記載の参照信号の受信装置。
（項目３１）
前記インデックス情報取得モジュールは、
前記ターゲットＶＳＳＢを解析して、各信号を取得するように構成される、解析サブモジュールであって、前記各信号は、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含む、解析サブモジュールと、
設定信号から前記ＶＳＳＢインデックス情報を取得するように構成される、インデックス情報取得サブモジュールであって、前記設定信号は、前記ＰＳＢＣＨ信号および／または前記ＤＭＲＳ信号を含む、インデックス情報取得サブモジュールと、を備えることを特徴とする、
項目２９に記載の参照信号の受信装置。
（項目３２）
前記インデックス情報取得サブモジュールは、
設定ＤＭＲＳシーケンスによって運ばれる情報に従って、前記ＶＳＳＢインデックス情報を取得するように構成される、第１インデックス取得ユニットと、
設定ＰＳＢＣＨ信号の第１ビットから、前記ＶＳＳＢインデックス情報を解析するように構成される、第２インデックス取得ユニットと、を備えることを特徴とする、
項目３１に記載の参照信号の受信装置。
（項目３３）
前記インデックス情報取得サブモジュールは、
設定ＤＭＲＳシーケンスによって運ばれる情報に従って、前記ＶＳＳＢインデックス情報に対応する、ビット値の一部を取得するように構成される、第１ビット値決定ユニットと、
設定ＰＳＢＣＨ信号の第２ビットから、前記ＶＳＳＢインデックス情報に対応する、残りのビット値を取得するように構成される、第２ビット値決定ユニットと、
前記ビット値の一部および前記残りのビット値からなる完全なビット値に従って、前記ＶＳＳＢインデックス情報を決定するように構成される、第３インデックス取得ユニットと、を備えることを特徴とする、
項目３１に記載の参照信号の受信装置。
（項目３４）
前記位置決定モジュールは、前記ＶＳＳＢインデックス情報、前記ターゲットキャリア周波数情報、ターゲットサブキャリア間隔に従って、前記ターゲットＶＳＳＢに対応する時間ドメイン位置を決定するように構成され、ここで、前記ターゲットサブキャリア間隔は、前記ターゲットＶＳＳＢが検出されたときに使用される、検出サブキャリア間隔であることを特徴とする、
項目２９に記載の参照信号の受信装置。
（項目３５）
コンピュータ命令が記憶される、非一時的なコンピュータ可読記憶媒体であって、
前記命令がプロセッサによって実行されるときに、項目１ないし１１のいずれか一項に記載の方法のステップを実現することを特徴とする、前記非一時的なコンピュータ可読記憶媒体。
（項目３６）
コンピュータ命令が記憶される、非一時的なコンピュータ可読記憶媒体であって、
前記命令がプロセッサによって実行されるときに、項目１２ないし１７のいずれか一項に記載の方法のステップを実現することを特徴とする、前記非一時的なコンピュータ可読記憶媒体。
（項目３７）
車載機器であって、
プロセッサと、
プロセッサ実行可能命令を記憶するために使用されるメモリと、を備え、
前記プロセッサは、
ニューラジオ車両対モノ（ＮＲ  Ｖ２Ｘ）システムにおける同期信号ブロック（ＶＳＳＢ）の伝送構成情報を決定し、前記伝送構成情報は、前記ＶＳＳＢの送信周期と、前記送信周期におけるＶＳＳＢ送信時間ウィンドウの時間ドメイン位置と、を含み、
前記伝送構成情報に応じて、周期的に現れる前記ＶＳＳＢ送信時間ウィンドウ内で、Ｎ（Ｎは１より大きいか等しい整数）個の前記ＶＳＳＢを送信するように構成され、
ここで、各前記ＶＳＳＢは、プライマリサイドリンク同期信号（ＰＳＳＳ）、セカンダリサイドリンク同期信号（ＳＳＳＳ）、物理サイドリンク放送チャネル（ＰＳＢＣＨ）信号、および復調参照信号（ＤＭＲＳ）を含むことを特徴とする、前記車載機器。
（項目３８）
端末であって、
プロセッサと、
プロセッサ実行可能命令を記憶するために使用されるメモリと、を備え、
前記プロセッサは、
車載機器によって送信された、ニューラジオ車両対モノ（ＮＲ  Ｖ２Ｘ）システムにおける同期信号ブロック（ＶＳＳＢ）を検出し、
検出されたターゲットＶＳＳＢから、ＶＳＳＢインデックス情報を取得し、
前記ＶＳＳＢインデックス情報に従って、前記ターゲットＶＳＳＢに対応する時間ドメイン位置を決定し、
前記時間ドメイン位置に従って、前記車載機器と、時間ドメインの同期を実行するように構成されることを特徴とする、前記端末。
【国際調査報告】
2021533684.tif 000036
2021533684.tif 000037
2021533684.tif 000038
2021533684.tif 000039